(57)【要約】【課題】光ディスクの変色層上の位置を判別して、変色層に対し正確な画像形成又は画像情報の検出を行うことが可能な光ディスク装置、光ディスク装置を制御するためのプログラムを提供することを目的とする。【解決手段】感光材料又は感熱材料からなる光ディスクの変色層に画像を形成する光ディスク装置であって、光ディスクを回転させる回転部と、光ディスクの回転方向に沿って変色層に画像を形成するべく、所定の処理速度で半導体レーザーからのレーザー光を変色層に照射させる処理部と、光ディスクの回転速度と処理部の処理速度とから定まる数で、光ディスクの全周を光ディスクの径方向に分割した複数の分割エリアを、光ディスクに割り当てる分割エリア割当部と、複数の分割エリアの何れかの分割エリアを変色層上の基準位置とする複数の分割エリアに基づいて、光ディスクの回転方向における変色層上の位置を判別する判別部と、を備えたことを特徴とする。【選択図】図１
2007226860.tif 000002
【特許請求の範囲】
【請求項１】
感光材料又は感熱材料からなる光ディスクの変色層に画像を形成する光ディスク装置であって、
前記光ディスクを回転させる回転部と、
前記光ディスクの回転方向に沿って前記変色層に画像を形成するべく、所定の処理速度で半導体レーザーからのレーザー光を前記変色層に照射させる処理部と、
前記光ディスクの回転速度と前記処理部の処理速度とから定まる数で、前記光ディスクの全周を前記光ディスクの径方向に分割した複数の分割エリアを、前記光ディスクに割り当てる分割エリア割当部と、
前記複数の分割エリアの何れかの分割エリアを前記変色層上の基準位置とする複数の分割エリアに基づいて、前記光ディスクの回転方向における前記変色層上の位置を判別する判別部と、
を備えたことを特徴とする光ディスク装置。
【請求項２】
前記処理部は、
前記変色層上の位置を判別した前記判別部の判別結果に基づいて、前記変色層に画像を形成する、
ことを特徴とする請求項１に記載の光ディスク装置。
【請求項３】
前記変色層に画像を形成するためのデータを保持する保持部と、
前記変色層上の位置を判別した前記判別部の判別結果に基づいて、前記保持部が保持する前記データを前記処理部に送信する制御部と、を有し、
前記処理部は、前記保持部からの前記データに基づいて、前記所定の処理速度で前記変色層に画像を形成するべく前記レーザー光を出射させる、
ことを特徴とする請求項１又は請求項２に記載の光ディスク装置。
【請求項４】
前記保持部が保持する前記データのデータ量が、予め定められたデータ量以下であるか否かを判別するデータ量判別部を有し、
前記制御部は、
前記保持部のデータ量が前記予め定められたデータ量以下であると前記データ量判別部が判別したときの判別結果に基づいて、前記処理部への前記データの送信を禁止する、
ことを特徴とする請求項３に記載の光ディスク装置。
【請求項５】
前記データ量判別部の前記判別結果に基づいて、前記変色層上の位置を判別した前記判別部の判別結果を記憶する記憶部を有し、
前記制御部は、
前記保持部のデータ量が前記予め定められたデータ量以下でないと前記データ量判別部が判別したときの判別結果と、前記記憶部の前記判別結果と同じ判別結果を前記判別部が判別したときの当該判別結果と、に基づいて、前記処理部への前記データの送信を許可する、
ことを特徴とする請求項４に記載の光ディスク装置。
【請求項６】
前記制御部は、１周分の前記変色層に画像を形成可能なデータ量を単位として、前記処理部に前記データを送信し、
１周分の前記変色層に画像が形成される度に、前記光ディスクの径方向へ前記半導体レーザーを移動させる移動部を備えた、
ことを特徴とする請求項３乃至請求項５の何れかに記載の光ディスク装置。
【請求項７】
前記予め定められたデータ量は、１周分の前記変色層に画像を形成可能となるデータ量未満である、
ことを特徴とする請求項６に記載の光ディスク装置。
【請求項８】
前記変色層に照射された前記レーザー光の反射光を受光し、前記反射光のレベルに相当する電気信号を出力する受光部と、
前記電気信号の変化を検出し、前記電気信号の変化量が予め定められた変化量以下であるか否かを判別する変化量判別部と、を有し、
前記制御部は、
前記電気信号の変化量が前記予め定められた変化量以下でないと前記変化量判別部が判別したときの判別結果に基づいて、前記処理部への前記データの送信を禁止する、
ことを特徴とする請求項３乃至７の何れかに記載の光ディスク装置。
【請求項９】
前記変化量判別部の前記判別結果に基づいて、前記変色層上の位置を判別した前記判別部の判別結果を記憶する記憶部を有し、
前記制御部は、
前記電気信号の変化量が前記予め定められた変化量以下であると前記変化量判別部が判別したときの判別結果と、前記記憶部が記憶する前記判別結果と同じ判別結果を前記判別部が判別したときの当該判別結果と、に基づいて、前記処理部への前記データの送信を許可する、
ことを特徴とする請求項８に記載の光ディスク装置。
【請求項１０】
感光材料又は感熱材料からなる変色層を有する光ディスクの、画像が形成された後の前記変色層から前記画像を示す画像情報を検出する光ディスク装置であって、
前記光ディスクを回転させる回転部と、
レーザー光を出射する半導体レーザーと、
前記変色層に照射された前記レーザー光の反射光を受光し、前記反射光のレベルに相当する電気信号を出力する受光部と、
所定の処理速度で、前記電気信号から前記画像情報を検出する検出部と、
前記光ディスクの回転速度と前記検出部の処理速度とから定まる数で、前記光ディスクの全周を前記光ディスクの径方向に分割した複数の分割エリアを、前記光ディスクに割り当てる分割エリア割当部と、
前記複数の分割エリアの何れかの分割エリアを前記変色層上の基準位置とする複数の分割エリアに基づいて、前記光ディスクの回転方向における前記変色層上の位置を判別する判別部と、
を備えたことを特徴とする光ディスク装置。
【請求項１１】
前記検出部は、
前記変色層上の位置を判別した前記判別部の判別結果に基づいて、前記電気信号から前記画像情報を検出する、
ことを特徴とする請求項１０に記載の光ディスク装置。
【請求項１２】
前記電気信号の変化を検出し、前記電気信号の変化量が予め定められた変化量以下であるか否かを判別する変化量判別部と、
前記電気信号の変化量が前記予め定められた変化量以下でないと前記変化量判別部が判別したときの判別結果に基づいて、前記検出部の検出動作を禁止する制御部と、
を備えたことを特徴とする請求項１０又は請求項１１に記載の光ディスク装置。
【請求項１３】
前記変化量判別部の前記判別結果に基づいて、前記変色層上の位置を判別した前記判別部の判別結果を記憶する記憶部を有し、
前記制御部は、
前記電気信号の変化量が前記予め定められた変化量以下であると前記変化量判別部が判別したときの判別結果と、前記記憶部が記憶する前記判別結果と同じ判別結果を前記判別部が判別したときの当該判別結果と、に基づいて、前記検出部の検出動作を許可する、
ことを特徴とする請求項１２に記載の光ディスク装置。
【請求項１４】
感光材料又は感熱材料からなる変色層を有する光ディスクを回転させる回転部と、
前記光ディスクの回転方向に沿って前記変色層に画像を形成するべく、所定の処理速度で半導体レーザーからのレーザー光を前記変色層に照射させる処理部と、
を備えた光ディスク装置を制御するコンピュータに、
前記光ディスクの回転速度と前記処理部の処理速度とから定まる数で、前記光ディスクの全周を前記光ディスクの径方向に分割した複数の分割エリアを、前記光ディスクに割り当てる機能と、
前記複数の分割エリアの何れかの分割エリアを前記変色層上の基準位置とする複数の分割エリアに基づいて、前記光ディスクの回転方向における前記変色層上の位置を判別する機能と、
を実現させるプログラム。
【請求項１５】
感光材料又は感熱材料からなる変色層を有し、前記変色層に画像が形成された光ディスクを回転させる回転部と、
レーザー光を出射する半導体レーザーと、
前記変色層に照射された前記レーザー光の反射光を受光し、前記反射光のレベルに相当する電気信号を出力する受光部と、
所定の処理速度で、前記電気信号から前記画像情報を検出する検出部と、
を備えた光ディスク装置を制御するコンピュータに、
前記光ディスクの回転速度と前記検出部の処理速度とから定まる数で、前記光ディスクの全周を前記光ディスクの径方向に分割した複数の分割エリアを、前記光ディスクに割り当てる機能と、
前記複数の分割エリアの何れかの分割エリアを前記変色層上の基準位置とする複数の分割エリアに基づいて、前記光ディスクの回転方向における前記変色層上の位置を判別する機能と、
を実現させるプログラム。
【発明の詳細な説明】
【技術分野】
【０００１】
本発明は、光ディスク装置、光ディスク装置を制御するためのプログラムに関する。
【背景技術】
【０００２】
現在、光ディスク（例えば、ＣＤ（Compact Disc）、ＤＶＤ（Digital Versatile Disc）等）の案内溝が形成された記録層に対し、レーザー光を照射することによりデータを記録／再生を行う光ディスク装置がある。この光ディスク装置は、記録層に形成された案内溝の蛇行によって検出されるウォブル信号や、案内溝（又は案内溝以外のランド領域）から検出される再生信号に基づいてアドレス情報を取得して、記録層上の位置を判別して正確なデータの記録／再生を行っている。例えば、データの記録においては、光ディスク装置の記録処理速度がホストコンピュータ等からの記録データの転送速度より速い場合、所謂バッファアンダーランが発生し、データの記録が中断される可能性があった。或いは、ユーザーからの記録中断の指示や、外部からの衝撃等に起因して、光ディスクに対する記録が中断される可能性があった。この場合、光ディスク装置は、ウォブル信号や再生信号に基づいてアドレス情報を取得して記録層上の位置を判別し、例えばデータの記録が中断された位置以降の案内溝に対してデータの記録を再開している。
【０００３】
ところで、近年、レーザー光の光強度又は熱により変色する変色層（感光層、感熱層等）を有し、文字、図形、画像等（以下、画像という）を形成可能な光ディスクが提唱されている。図１２を参照しつつ、画像形成が可能な光ディスク１００の構成の一例について説明すると、光ディスク１００は、保護層１０１、変色層１０２、反射層１０３が積層された構造となっている。変色層１０２は、レーザー光の光強度又は熱により可視特性｛色（色相、明度、彩度）、反射率、透過率、光錯乱等｝が変化（例えば、透明から有色等）する感光材料又は感熱材料から構成されている。
【０００４】
そして、光ディスク装置は、この光ディスク１００に対して画像を形成する場合、例えばホストコンピュータ等からの当該画像を示すビットマップ形式のデータ（以下、ビットマップデータという）に基づいたレーザー光を、対物レンズ１０４を介して出射する。詳述すると、光ディスク装置は、ビットマップデータをバッファメモリ等にて一旦保持させた後、光ディスク１００の形状に応じた画像を構成する各ドットの濃淡（例えば、濃が有色、淡が無色）の情報を示す画像データに変換する。そして、光ディスク装置は、この画像データに基づいて、変色層１０２に画像を形成可能となる光強度のレーザー光を出射する。更に、光ディスク装置は、記録層に記録データを記録するときの各種サーボ制御を、変色層１０２への画像形成処理においても行う。例えば、光ディスク装置は、レーザー光の光軸方向（以下、フォーカス方向という）において変色層１０２にレーザー光を合焦させるためのフォーカス制御、光ディスク１００の径方向（以下、トラッキング方向という）において例えば内周側から外周側へレーザー光を照射させるためのスレッド制御、レーザー光の出射に同期して光ディスク１００を回転させるためのスピンドル制御等のサーボ制御を行う。尚、変色層１０２に対して画像を形成する場合、一般的に、フォーカス方向における記録層と変色層１０２との位置の相違、変色層１０２の光吸収等に起因してトラッキング制御が不安定となる可能性があるため、トラッキング制御は停止されることとなる。このように、光ディスク装置が、ホストコンピュータ等からのビットマップデータに基づいて、サーボ制御を行いつつレーザー光を出射することにより、当該ビットマップデータが示す画像を変色層１０２に形成することが可能となる。更に、例えば、特許文献１に示す光ディスク装置においては、画像の濃淡をより選択性に優れたものとし、且つ、フォーカス制御を良好に行うべく、トラッキング方向へレーザー光を所定振動周波数で振動させて画像形成を行っている。近年、上述のようなホストコンピュータ等からのビットマップデータに基づいて、変色層１０２に画像を形成可能な光ディスク装置が提唱されている。
【特許文献１】特開２００４−５８４７
【発明の開示】
【発明が解決しようとする課題】
【０００５】
しかしながら、光ディスク１００の変色層１０２には、記録層上の位置を判別するための案内溝等が形成されていなため、例えば、バッファアンダーラン等に起因して画像形成が中断された場合、中断された変色層１０２上の位置を正確に判別出来ない可能性があった。このため、画像形成が中断された変色層１０２上の位置からの画像形成の再開が出来ず、変色層１０２に対して所望する画像の形成が行えなくなる可能性があった。或いは、画像が形成された変色層１０２から当該画像を示す情報（以下、画像情報という）の検出において、画像情報の検出が中断された場合、中断された変色層１０２上の位置を正確に判別出来ない可能性があった。このため、画像情報の検出が中断された変色層１０２上の位置からの画像情報の検出再開が出来ず、変色層１０２からの正確な画像情報の検出が行えなくなる可能性があった。
【０００６】
そこで、本発明は、光ディスクの変色層上の位置を判別して、変色層に対し正確な画像形成又は画像情報の検出を行うことが可能な光ディスク装置、光ディスク装置を制御するためのプログラムを提供することを目的とする。
【課題を解決するための手段】
【０００７】
前記課題を解決するための発明は、感光材料又は感熱材料からなる光ディスクの変色層に画像を形成する光ディスク装置であって、前記光ディスクを回転させる回転部と、前記光ディスクの回転方向に沿って前記変色層に画像を形成するべく、所定の処理速度で半導体レーザーからのレーザー光を前記変色層に照射させる処理部と、前記光ディスクの回転速度と前記処理部の処理速度とから定まる数で、前記光ディスクの全周を前記光ディスクの径方向に分割した複数の分割エリアを、前記光ディスクに割り当てる分割エリア割当部と、前記複数の分割エリアの何れかの分割エリアを前記変色層上の基準位置とする複数の分割エリアに基づいて、前記光ディスクの回転方向における前記変色層上の位置を判別する判別部と、を備えたことを特徴とする。
【０００８】
また、感光材料又は感熱材料からなる変色層を有する光ディスクの、画像が形成された後の前記変色層から前記画像を示す画像情報を検出する光ディスク装置であって、前記光ディスクを回転させる回転部と、レーザー光を出射する半導体レーザーと、前記変色層に照射された前記レーザー光の反射光を受光し、前記反射光のレベルに相当する電気信号を出力する受光部と、所定の処理速度で、前記電気信号から前記画像情報を検出する検出部と、前記光ディスクの回転速度と前記検出部の処理速度とから定まる数で、前記光ディスクの全周を前記光ディスクの径方向に分割した分割エリアを、前記光ディスクに割り当てる分割エリア割当部と、前記複数の分割エリアの何れかの分割エリアを前記変色層上の基準位置とする複数の分割エリアに基づいて、前記光ディスクの回転方向における前記変色層上の位置を判別する判別部と、を備えたことを特徴とする。
【０００９】
また、感光材料又は感熱材料からなる変色層を有する光ディスクを回転させる回転部と、前記光ディスクの回転方向に沿って前記変色層に画像を形成するべく、所定の処理速度で半導体レーザーからレーザー光を前記変色層に照射させる処理部と、を備えた光ディスク装置を制御するコンピュータに、前記光ディスクの回転速度と前記処理部の処理速度とから定まる数で、前記光ディスクの全周を前記光ディスクの径方向に分割した複数の分割エリアを、前記光ディスクに割り当てる機能と、前記複数の分割エリアの何れかの分割エリアを前記変色層上の基準位置とする複数の分割エリアに基づいて、前記光ディスクの回転方向における前記変色層上の位置を判別する機能と、を実現させるプログラム。
【００１０】
また、感光材料又は感熱材料からなる変色層を有し、前記変色層に画像が形成された光ディスクを回転させる回転部と、レーザー光を出射する半導体レーザーと、前記変色層に照射された前記レーザー光の反射光を受光し、前記反射光のレベルに相当する電気信号を出力する受光部と、所定の処理速度で、前記電気信号から前記画像情報を検出する検出部と、を備えた光ディスク装置を制御するコンピュータに、前記光ディスクの回転速度と前記検出部の処理速度とから定まる数で、前記光ディスクの全周を前記光ディスクの径方向に分割した複数の分割エリアを、前記光ディスクに割り当てる機能と、前記複数の分割エリアの何れかの分割エリアを前記変色層上の基準位置とする複数の分割エリアに基づいて、前記光ディスクの回転方向における前記変色層上の位置を判別する機能と、を実現させるプログラム。
【発明の効果】
【００１１】
本発明によれば、光ディスクの変色層上の位置を判別して、変色層に対し正確な画像形成又は画像情報の検出を行うことができる。
【発明を実施するための最良の形態】
【００１２】
本明細書および添付図面の記載により、少なくとも以下の事項が明らかとなる。
【００１３】
＝＝＝第１の実施形態＝＝＝
＜＜光ディスク装置１の全体構成例＞＞
以下、図１乃至図４を用いて本発明に係る光ディスク装置１の全体構成について説明する。図１は、本発明に係る光ディスク装置１の全体構成の一例を示すブロック図である。図２は、図１に示す位置検出回路３７の構成の一例を示すブロック図である。図３は、光ディスク２の全周を半径方向に分割する変色層１０２上の分割エリア（以下、セクタという）を示す図である。図４は、図１に示す光検出器１３の受光領域Ａ乃至Ｄを示す図である。尚、図１に示す光ディスク装置１は、光ディスク２の変色層１０２への画像形成機能のみならず、記録層（不図示）への記録データの記録及び当該記録層からの再生（以下、情報記録／再生という）機能を有しているものとして説明する。尚、情報記録／再生機能については、一般的な技術であるため、説明は簡略化したものとする。また、光ディスク２は、変色層１０２とともに図１２に示す保護層１０１、反射層１０３が積層された構造となっており、例えばＣＤ規格に対応しているものとして説明する。
【００１４】
光ディスク装置１は、スピンドルモータ３、回転軸７、スピンドルモータ制御回路４（回転部）、ＦＧ（Frequency Generator）発生回路５、分周回路９、３９、光ピックアップ装置１１、ＲＦ（Radio Frequency）信号処理回路２１、デコーダ２２、フォーカス信号処理回路２０、トラッキング信号処理回路１９、振動付加回路１８、ステッピングモータ２９、スレッド制御回路２８（移動部）、統括制御部６（回転部、分割エリア割当部、判別部、制御部、データ量判別部）、カウンタ３４、４１、タイマ３５、バッファメモリ２３（保持部）、インタフェース（Ｉ／Ｆ）２４、エンコーダ８（処理部）、位置検出回路３７、画像データ検出回路３１、描画制御回路３３（処理部）、ストラテジ回路３６、レーザーパワー制御回路３２、レーザードライバ１７（処理部）、発振回路３８、位相比較回路４０を有する。
【００１５】
スピンドルモータ３は、スピンドルモータ制御回路４からの制御電圧がスピンドルモータコイル（不図示）に印加されることにより回転し、例えば、回転軸７と固着される不図示のチャッキング機構により設置される光ディスク２を、所定の回転方向へ回転させる。
【００１６】
ＦＧ発生回路５は、例えば、スピンドルモータ３が回転する時の逆起電圧に基づいて、スピンドルモータ３の回転速度に対応した周波数のＦＧ信号（回転信号）を発生し、分周回路９、カウンタ３４に出力する。尚、本実施形態においてＦＧ発生回路５は、スピンドルモータ３の１回転あたりにつき（光ディスク２の１回転あたりにつき）、例えば１８パルスのＦＧ信号を発生するものとして説明する。
【００１７】
分周回路９は、ＦＧ信号を１／１８分周したＳＦＧ信号を位相比較回路４０に出力する。このＳＦＧ信号の周期は、スピンドルモータ３の回転により光ディスク２が１回転する期間を示すこととなる。
【００１８】
発振回路３８は、所定周波数のクロック（以下、ＣＬＫという）を発生して、分周回路３９、エンコーダ８、位置検出回路３７、カウンタ４１に出力する。尚、このＣＬＫに基づいて、スピンドルモータ制御回路４のスピンドル制御、エンコーダ８のエンコード処理が行われることとなる。
【００１９】
分周回路３９は、発振回路３８からのＣＬＫを１／ｎ（ｎは、変色層１０２における１周あたりのドット（画像を構成する単位）の数）分周した信号を、位相比較回路４０に出力する。この結果、分周回路３９が出力する信号の周期は、前述のＳＦＧ信号と同様に、スピンドルモータ３の回転により光ディスク２が１回転する期間を示すこととなる。
【００２０】
位相比較回路４０は、ＳＦＧ信号の例えば立上りと分周回路３９からの信号の立上りの位相を比較した比較結果を、スピンドルモータ制御回路４に出力する。
【００２１】
スピンドルモータ制御回路４は、統括制御部６からの回転速度指示信号に基づいて、光ディスク２の回転速度を当該回転速度指示信号が示す回転速度とするべく、スピンドルモータ３をスピンドル制御するものである。そのため、スピンドルモータ制御回路４は、ＦＧ信号に基づいて光ディスク２の実際の回転速度を検出し、当該実際の回転速度を回転速度指示信号が示す回転速度とするべく、スピンドルモータ３に印加させる制御電圧のレベルを制御する。また、スピンドルモータ制御回路４は、位相比較回路４０からの比較結果に基づいて、ＳＦＧ信号と分周回路３９からの信号との位相を同期させるべく、スピンドルモータ３に印加させる制御電圧のレベルを調整制御する。尚、本実施形態においてスピンドルモータ制御回路４は、回転速度指示信号に基づいて、光ディスク２の回転速度を常に一定の回転速度とするＣＡＶ（Constant Angular Velocity）回転方式によりスピンドル制御するものとして説明する。また、回転速度指示信号が示す回転速度は、例えば、１８００ｒ.ｐ.ｍ＝３０回転／秒であるものとして説明する。
【００２２】
光ピックアップ装置１１は、半導体レーザー１２、光検出器１３（受光部）、対物レンズ１４、アクチュエータ１５を有する。尚、本発明の要旨に関係しないため不図示としたが、光ピックアップ装置１１は、一般的な光ピックアップ装置が有する各種光学系（コリメータレンズ、ビームスプリッタ、アナモフィックレンズ等）、フロントモニタダイオード等を有している。
【００２３】
半導体レーザー１２は、レーザードライバ１７からの駆動信号に基づいて、当該駆動信号により発生する電流に対応した光強度のレーザー光を出射する。半導体レーザー１２からのレーザー光は、各種光学系を透過、反射等した後、対物レンズ１４に入射する。
【００２４】
対物レンズ１４は、アクチュエータ１５のレンズホルダ（不図示）に設置され、金属バネ（不図示）等の弾性力により光ディスク２の一方側の面（画像が現れるレーベル面）に対向する位置に保持される。そして、対物レンズ１４は、レーザー光を収束光に変換して光ディスク２に出射する。また、対物レンズ１４は、変色層１０２又は記録層を照射したレーザー光の反射光を平行光に変換して各種光学系に出射する。
【００２５】
光検出器１３は、各種光学系を介した後、アナモフィックレンズにより非点収差が付与された反射光が最小錯乱円となる位置に配置される。図４を参照しつつ詳述すると、光検出器１３は、反射光を受光するための、例えば４つの受光領域Ａ乃至Ｄを有している。全受光領域を４つの受光領域Ａ乃至Ｄに分割する２つの分割線Ｏ、Ｐは互いに直交し、何れかの分割線（例えば分割線Ｐ）の方向は、トラッキング制御においてプッシュプル法を用いた場合、タンジェンシャル方向を示すように設けられる。また、受光領域Ａ乃至Ｄは、アナモフィックレンズによる非点収差の発生方向に対して略４５°傾くように設けられる。そして、光検出器１３は、受光領域Ａ乃至Ｄにて受光した反射光のレベルに相当する光電変換信号ａ乃至ｄを、ＲＦ信号処理回路２１、フォーカス信号処理回路２０、トラッキング信号処理回路１９に出力する。尚、図１においては、光ピックアップ装置１１からのＲＦ信号処理回路２１、フォーカス信号処理回路２０、トラッキング信号処理回路１９に対する信号線は１本のみで描かれているが、実際においては光電変換信号ａ乃至ｄを各処理回路に対して供給可能とする数の信号線が設けられている。
【００２６】
アクチュエータ１５は、フォーカス方向における対物レンズ１４の位置を変更するためのフォーカスコイル（不図示）、トラッキング方向における対物レンズ１４の位置を変更するためのトラッキングコイル（不図示）等を有している。
【００２７】
アクチュエータ１５は、光ディスク装置１が変色層１０２に画像形成する場合（以下、描画モードという）、及び、当該変色層１０２への画像形成の中断・再開する場合（以下、描画中断・再開モードという）において、フォーカス信号処理回路２０からのフォーカスエラー信号がフォーカスコイルに供給されることにより、当該フォーカスエラー信号の振幅レベルに対応する移動量、フォーカス方向へ対物レンズ１４を移動させる。この結果、対物レンズ１４からのレーザー光を変色層１０２に合焦させることが可能となる。尚、このフォーカス制御は、記録層に対して情報記録／再生する場合（以下、情報記録／再生モードという）においても、当該記録層にレーザー光を合焦させるべく行われることとなる。
【００２８】
また、アクチュエータ１５は、描画モード及び描画中断・再開モードにおいて、振動付加回路１８からの後述する交流信号がトラッキングコイルに供給されることにより、トラッキング方向へ対物レンズ１４を振動させる。この対物レンズ１４の振動は、交流信号の周波数に対応した振動周波数であって、交流信号の振幅に対応した振動振幅となる。尚、情報記録／再生モードにおいては、振動付加回路１８からのトラッキングエラー信号がトラッキングコイルに供給されることにより、当該トラッキング信号の振幅レベルに対応した移動量、トラッキング方向へ対物レンズ１４を移動させる。この結果、記録層に形成された案内溝（又はランド領域）にレーザー光を追従させることが可能となる。尚、描画モード及び描画中断・再開モードにおいては、前述したようにフォーカス方向における記録層と変色層１０２の位置の相違、変色層１０２の光吸収等に起因してトラッキング制御が不安定となる可能性があるため、トラッキング制御は停止されることとなる。
【００２９】
ＲＦ信号処理回路２１は、描画モードにおいて、光ディスク２のリードイン領域（図３参照）をレーザー光が照射したときの光電変換信号ａ乃至ｄに基づいて、ＲＦ信号を生成する。そして、ＲＦ信号処理回路２１は、ＲＦ信号を最適レベルにゲインコントロールするとともにイコライジング処理を施し、２値データ化してデコーダ２２に出力する。尚、情報記録／再生モードにおいも同様に、ＲＦ信号処理回路２１は、記録層をレーザー光が照射したときの光電変換信号ａ乃至ｄに基づいて、ＲＦ信号を生成し２値データ化してデコーダ２２に送信する。
【００３０】
デコーダ２２は、描画モードにおいて、ＲＦ信号処理回路２１からの２値データ化された信号に対して光ディスク２の規格に対応するデコード処理を施す。そして、デコーダ２２は、デコード処理の結果得られる、例えば当該光ディスク２の規格、製造メーカ等の情報、光ディスク２に適用する回転速度情報、レーザー光の光強度情報やＡＴＩＰ（Absolute Time In Pre-groove）情報等（以下、ＡＴＩＰ情報等という）をバッファメモリ２３に送信する。詳述すると、ＣＤ規格においては変調コードとしてＥＦＭ（Eight Fourteen Modulation）が採用され、誤り訂正符号としてＣＩＲＣ（Cross Interleaved Reed-Solomon Code）が採用されているため、デコーダ２２は、これらの変調コード、誤り訂正符号に基づくデコード処理を行う。尚、光ディスク２がＤＶＤ規格の媒体である場合、ＤＶＤ規格においては変調コードとしてＥＦＭ−Ｐｌｕｓ（８−１６）が採用され、誤り訂正符号としてＲＳ（Reed-Solomon）Ｐｒｏｄｕｃｔ−Ｃｏｄｅが採用されているため、デコーダ２２は、これらの変調コード、誤り訂正符号に基づくデコード処理を行う。尚、デコーダ２２は、情報記録／再生モードにおいて、同様のデコード処理の結果得られる、ＡＴＩＰ情報及び再生データをバッファメモリ２３に送信する。この結果、記録層に記録された情報を、インタフェース２４を介してホストコンピュータ２５にて再生することが可能となる。
【００３１】
フォーカス信号処理回路２０は、全てのモードにおいて、光電変換信号ａ乃至ｄに基づいて、フォーカス制御のためのフォーカスエラー信号を生成して光ピックアップ装置１１に送信する。このフォーカスエラー信号は、フォーカス制御に非点収差を採用する場合、（ａ＋ｃ）−（ｂ＋ｄ）を演算処理することによって求められる。尚、本実施形態においては、フォーカス制御に非点収差法を採用しているがこれに限るものではない。例えば、光ピックアップ装置１１の光学系に回折格子（不図示）を設け、半導体レーザー１２からのレーザー光を３つのビームに回折させ、当該３つのビームの光ディスク２からの反射光に基づいてフォーカス制御を行う差動非点収差法を採用しても良い。
【００３２】
トラッキング信号処理回路１９は、情報記録／再生モードにおいて、光電変換信号ａ乃至ｄに基づいて、トラッキング制御のためのトラッキングエラー信号を生成する。このトラッキングエラー信号は、トラッキング制御にプッシュプル法を採用する場合、（ａ＋ｄ）−（ｂ＋ｃ）を演算処理することによって求められる。また、トラッキング信号処理回路１９は、描画モード及び描画中断・再開モードにおいて、光電変換信号ａ乃至ｄの入力の有無に関わらず、前述したようにトラッキング制御を停止する。このようにトラッキング制御を選択的にするための実現例としては、例えば、光電変換信号ａ乃至ｄがトラッキング信号処理回路１９に入力する信号線に、統括制御部６からの指示信号に基づいてオン又はオフするスイッチ回路（不図示）等を設けることで可能となる。尚、本実施形態においては、トラッキング制御にプッシュプル法を採用しているがこれに限るものではない。例えば、前述と同様に回折格子を設け、３つのビームの反射光に基づいてトラッキング制御を行う差動プッシュプル法を採用しても良い。
【００３３】
振動付加回路１８は、描画モード及び描画中断・再開モードにおいて、変色層１０２に形成される画像の濃淡を選択性に優れたものとし、且つ、フォーカス制御を良好に行うべく、統括制御部６からの制御信号に応じて振幅及び周波数が制御された交流信号を、光ピックアップ装置１１に送信する。そして、この交流信号が前述のアクチュエータ１５のトラッキングコイルに供給されることにより、トラッキング方向へ対物レンズ１４が振動することとなる。尚、振動付加回路１８は、情報記録／再生モードにおいて、統括制御部６からの制御信号に基づいて、トラッキング信号処理回路１９からのトラッキングエラー信号を光ピックアップ装置１１に送信する。
【００３４】
ステッピングモータ２９は、スレッド制御回路２８からの制御電圧がステッピングモータコイル（不図示）に印加されることによって、当該制御電圧のレベルに対応したステップ距離分回転し、トラッキング方向へ光ピックアップ装置１１を移動させる。つまり、トラッキング方向への光ピックアップ装置１１の移動距離は、ステッピングモータ２９のステップ距離に対応したものとなっている
スレッド制御回路２８は、統括制御部６からの制御信号に基づいて、光ディスク２の１回転あたりにつき、トラッキング方向への光ピックアップ装置１１の移動距離を当該制御信号に応じた移動距離とするべく、ステッピングモータ２９をスレッド制御するものである。そのため、スレッド制御回路２８は、制御信号が示す移動距離に応じた制御電圧をステッピングモータ２９に印加させる。尚、本実施形態においてスレッド制御回路２８は、例えば、変色層１０２の内周側から外周側へ光ピックアップ装置１１を移動するべく、ステッピングモータ２９をスレッド制御するものして説明する。この結果、変色層１０２の内周側から外周側へ画像を形成することとなる。また、スレッド制御回路２８は、統括制御部６からの制御信号に基づいて、ステッピングモータ２９の最小ステップ距離に対応した最小移動距離、光ピックアップ装置１１を外周側へ移動させるものとして説明する。この結果、変色層１０２により大量の画像を形成することが可能となる。
【００３５】
インタフェース２４は、接続端子（不図示）を介して接続される、例えばホストコンピュータ２５と光ディスク装置１とがデータの送受信を行うために設けられる。ホストコンピュータ２５、インタフェース２４を介して、光ディスク装置１を描画モードとするための指示信号を送信するとともに、変色層１０２に画像を形成するための当該画像を示すビットマップデータを送信する。尚、本実施形態において、ビットマップデータは、各セクタ（図３参照）あたりにつき２４４８バイト（うち９バイトについては、画像の濃淡等を示すサブコード）であるものとし、ホストコンピュータ２５は、１秒あたりにつき７５セクタ分のビットマップデータ（２４４８×７５＝１８３６００バイト）を、光ディスク装置１に送信するものとして説明する。つまり、ホストコンピュータ２５によるビットマップデータの転送速度は１８３６００（バイト／秒）であるものとして説明する。尚、インタフェース２４の一例としては、ＡＴＡＰＩ（AT Attachment Packet Interface）規格やＳＣＳＩ（small Computer System Interface）規格、ＩＥＥＥ（Institute of Electrical and Electronic Engineers）１３９４規格、ＵＳＢ（Universal Serial Bus）規格等がある。
【００３６】
カウンタ３４は、ＦＧ信号の例えば立上りをカウントする。また、カウンタ３４は、カウント値が１８（光ディスク２が１回転するあたりのＦＧ信号の数）に達したときの統括制御部６からのリセット信号に基づいてリセットされる。タイマ３５は、統括制御部６からの制御信号に基づいて計時を開始する。また、タイマ３５は、統括制御部６からのリセット信号に基づいて計時がリセットされる。カウンタ４１は、ＣＬＫの例えば立上りをカウントする。また、カウンタ４１は、統括制御部６からのリセット信号に基づいてリセットされる。
【００３７】
位置検出回路３７は、図２に示すように、分周回路５０、カウンタ５１を有する。分周回路５０は、後述する統括制御部６からのセクタの数に応じた信号（以下、分周率信号という）に基づいて分周率が定まる。そして、分周回路５０は、ＣＬＫを当該分周率で分周したパルス数の信号（以下、セクタ同期信号という）をカウンタ５１に出力する。カウンタ５１は、セクタ同期信号の例えば立上りをカウントする。また、カウンタ５１は、カウント値がセクタの数と同一値に達したときの統括制御部６からのリセット信号に基づいてリセットされる。
【００３８】
統括制御部６は、ＣＰＵ（Central Processing Unit）２６、メモリ２７（記憶部）を有している。ＣＰＵ２６は、例えばホストコンピュータ２５からの指示信号に基づいた各モードに適した処理を光ディスク装置１が実行するべく、当該光ディスク装置１を統括制御するものである。メモリ２７は、ＣＰＵ２６が統括制御を行うためのプログラムデータが予め記憶されている。また、メモリ２７は、ＣＰＵ２６が各モードにおいて設定する変数が記憶される。このメモリ２７は、例えば、データを製造工程で焼付け固定するマスクＲＯＭ（Read Only Memory）、データを紫外線消去することによりデータを繰り返し書き込み又は消去可能なＥＰＲＯＭ（Erasable Programmable ＲＯＭ）、データを電気消去することによりデータを繰り返し書き込み又は消去可能なＥＥＰＲＯＭ（Electronically ＥＰＲＯＭ、フラッシュＲＯＭを含む）等の不揮発性記憶素子で構成される。
【００３９】
統括制御部６は、各モードにおいて、デコーダ２２からのＡＴＩＰ情報等に基づいて光ディスク２に適用する回転方式を決定し、スピンドルモータ制御回路４に回転速度指示信号を送信する。統括制御部６は、カウンタ３４のカウント開始に基づいてタイマ３５が計時を開始するための制御信号を送信する。そして、統括制御部６は、カウンタ３４のカウント値が１８に達したときのタイマ３５の計時に基づいて光ディスク２の回転速度情報を取得するとともに、当該カウンタ３４、タイマ３５をリセットするためのリセット信号を送信する。尚、本実施形態において統括制御部６は、光ディスク２の回転速度情報を取得するべく、カウンタ３４、タイマ３５を用いているがこれに限るものではない。例えば、統括制御部６が、ＡＴＩＰ情報等に含まれる回転速度情報を直接取得するように設けても良い。この結果、カウンタ３４、タイマ３５に掛かるコストの軽減、回路配置の煩雑化を防止することが可能となる。尚、本実施形態においてカウンタ３４、タイマ３５を用いた理由としては、光ディスク２の実際の回転速度を正確に示す回転速度情報を取得するためである。
【００４０】
そして、統括制御部６は、例えば回転速度情報を検出した後のカウンタ４１のカウント開始に基づいてタイマ３５が計時を開始するための制御信号を送信する。そして、統括制御部６は、タイマ３５の計時が例えば１秒を計時したときのカウンタ４１のカウント値に基づいて、エンコーダ８がビットマップデータに対してエンコード処理する速度（以下、エンコード速度という）情報を取得するとともに、当該カウンタ４１、タイマ３５をリセットするためのリセット信号を送信する。尚、本実施形態において統括制御部６は、エンコーダ８のエンコード速度情報を取得するべく、カウンタ４１、タイマ３５を用いているがこれに限るものではない。例えば、ＣＬＫの周波数を予め実験等によって測定し、当該周波数を示す周波数情報をメモリ２７に記憶させておく。そして、統括制御部６は、メモリ２７から周波数情報を読み出すことにより、当該周波数情報が示すＣＬＫの周波数に基づいてエンコード速度情報を取得するように設けても良い。この結果、カウンタ４１、タイマ３５に掛かるコストの軽減、回路配置の煩雑化を防止することが可能となる。尚、本実施形態においてカウンタ４１、タイマ３５を用いた理由としては、エンコーダ８のエンコード速度を正確に示すエンコーダ速度情報を取得するためである。
【００４１】
そして、統括制御部６は、回転速度情報とエンコード速度情報とに基づいて、光ディスク２の全周を半径方向に分割する変色層１０２上のセクタの数を算出する。尚、光ディスク２の全周を半径方向に分割するセクタは、変色層１０２を物理的に分割するものではなく、仮想的に分割したものである。
【００４２】
統括制御部６は、バッファメモリ２３が保持するビットマップデータのデータ量を、算出したセクタ数分のデータ量（光ディスク２の１回転あたりのデータ量）の１以上の整数倍（光ディスク２の回転数）のデータ量とするべく、バッファメモリ２３を制御する。詳述すると、セクタ数をＡ、バッファメモリ２３のビットマップデータを保持可能な容量をＢとしたとき、統括制御部６は、例えば、Ｂ／｛Ａ×２４４８（バイト／セクタ）｝の商を算出し、当該商×｛Ａ×２４４８（バイト／セクタ）｝のデータ量を最大値としてバッファメモリ２３が保持するべく制御する。つまり、バッファメモリ２３は、統括制御部６の制御により、セクタ数分のデータ量｛Ａ×２４４８（バイト／セクタ）｝を商で倍したデータ量を最大値としてビットマップデータを保持することとなる。
【００４３】
また、統括制御部６は、算出したセクタ数に基づいて、光ディスク２が１回転する期間において分周回路５０が出力するセクタ同期信号のパルス数を、例えば当該セクタ数と同一数とするための分周率信号を分周回路５０に送信する。この結果、セクタ同期信号の１つのパルスの周期と、光ディスク２が１セクタ分所定の回転方向へ回転する期間とは同期したものとなる。このため、統括制御部６は、カウンタ５１のカウント値に基づいて、対物レンズ１４からのレーザー光が各セクタのうち何れのセクタを照射しているのかを判別することが可能となる。そして、統括制御部６は、カウンタ５１のカウント値が１に達したと判別すると、バッファメモリ２３に保持されたビットマップデータのうち、例えばセクタ数分のデータ量｛Ａ×２４４８（バイト／セクタ）｝を単位としてエンコーダ８に送信する。この結果、バッファメモリ２３が保持するビットマップデータのデータ量は、セクタ数分のデータ量を単位として減少することとなる。尚、統括制御部６は、カウンタ５１のカウント値がセクタ数と同一値に達したと判別すると、カウンタ５１をリセットするためのリセット信号を送信する。
【００４４】
統括制御部６は、バッファメモリ２３に保持されているビットマップデータのデータ量が、例えばセクタ数分のデータ量×２未満であると判別すると、光ディスク装置１を描画中断・再開モードとする。そして、統括制御部６は、カウンタ５１のカウント値がセクタ数と同一値に達したと判別すると、ステッピングモータ２９の最小ステップ距離分、光ピックアップ装置１１を外周側へ移動させるべく、スレッド制御回路２８に制御信号を送信する。そして、統括制御部６は、スレッド制御を停止するための制御信号をスレッド制御回路２８に送信する。また、統括制御部６は、レーザー光の光強度を少なくともフォーカス制御可能なレベル（＜変色層１０２に画像形成可能なレベル。以下、再生レベルという）するための制御信号を、レーザーパワー制御回路３２に送信する。また、統括制御部６は、バッファメモリ２３が保持するビットマップデータのエンコーダ８への送信を停止する。この後、バッファメモリ２３が、ホストコンピュータ２５からの転送速度｛１８３６００（バイト／秒）｝で送信されるビットマップデータを保持することにより、当該バッファメモリ２３にビットマップデータが蓄積されることとなる。そして、統括制御部６によるこれらの制御により、光ディスク２の回転速度を回転速度情報が指示する回転速度に保持しつつ変色層１０２に画像を形成しない状態で、バッファメモリ２３へのビットマップデータの蓄積を図ることが可能となる。
【００４５】
統括制御部６は、セクタ数分のデータ量を商の値で倍したデータ量のビットマップデータをバッファメモリ２３が保持したと判別すると、カウンタ５１のカウント値が１に達したか否かを判別する。統括制御部６は、カウンタ５１のカウント値が１に達したと判別すると、レーザー光の光強度を変色層１０２に画像形成可能なレベル（以下、描画レベルという）とするための制御信号をレーザーパワー制御回路３２に送信する。また、統括制御部６は、エンコーダ８に対するセクタ数分のデータ量のビットマップデータを単位とした送信を再開させる。また、統括制御部６は、スレッド制御回路２８によるスレッド制御を再開するための制御信号を当該スレッド制御回路２８に送信する。この結果、変色層１０２への画像形成が再開されることとなる。
【００４６】
バッファメモリ２３は、描画モードにおいて、デコーダ２２からのＡＴＩＰ情報等を保持する。また、バッファメモリ２３は、描画モードにおいて、ホストコンピュータ２５からのビットマップデータを順次保持し、統括制御部６からの指示により保持した順番でビットマップデータを出力するＦＩＦＯ（First In First Out）形式のメモリである。尚、バッファメモリ２３は、保持するビットマップデータのデータ量が、セクタ数分のデータ量の１以上の整数倍のデータ量となるように統括制御部６により制御される。尚、本実施形態において、バッファメモリ２３のビットマップデータを保持可能な容量は、例えば１.５Ｍバイト（１.５×１０２４×１０２４＝１５７２８６４バイト）であるものとして説明する。尚、バッファメモリ２３は、ホストコンピュータ２５からの記録データに基づく情報記録／再生モードにおいて（以下、情報記録モードという）、当該記録データを保持する。また、バッファメモリ２３は、記録層からの情報再生を指示する信号に基づく情報記録／再生モードにおいて（以下、情報再生モードという）、デコーダ２２からのＡＴＩＰ情報等、再生データを保持する。
【００４７】
エンコーダ８は、ＣＬＫに基づいたエンコード速度により、バッファメモリ２３からの記録データ、ビットマップデータに対して、ＣＤ規格に対応した変調コードであるＥＦＭ変調等のエンコード処理を施す。尚、本実施形態において、エンコーダ８のエンコード速度は、ホストコンピュータ２５のビットマップデータの転送速度｛１８３６００（バイト／秒）｝の例えば１２倍の速度｛１８３６００×１２＝２２０３２００（バイト／秒）｝であるものとして説明する。つまり、光ディスク装置１は、ホストコンピュータ２５の転送速度に対して１２倍となるエンコード速度で、変色層１０２への画像形成を行うものとして説明する。
【００４８】
以下、エンコーダ８のエンコード処理について詳述すると、エンコーダ８は、バッファメモリ２３からのビットマップデータを、光ディスク２の形状に応じた画像を構成する各ドットの濃淡を示す濃淡データ群からなるデータ（以下、画像データという）に変換する。この濃淡データは、ビットマップデータが示す濃淡情報に応じて、画像を構成するドットの濃淡を例えば８階調（＝２の３乗）で表すための３ビットデータである。そして、光ディスク装置１は、セクタ数分のビットマップデータに対してエンコード処理した画像データに基づいて、光ディスク２を最大７回転させて変色層１０２への画像形成を行う。例えば、濃淡データが、‘１１１’である場合、光ディスク装置１は、当該濃淡データに対応するドットを最も濃く（暗）するべく、光ディスク２の全ての回転においてレーザー光の光強度を描画レベルとする。また、濃淡データが‘０００’である場合、光ディスク装置１は、当該濃淡データに対応するドットを最も淡く（明）するべく、レーザー光の光強度を再生レベルとする。尚、本実施形態においては、ドットの濃淡については本発明の要旨に関係しないため説明を簡略化するべく、ドットを濃くするための濃淡データを‘００１’、淡くするための濃淡データを‘０００’とし、セクタ数分のビットマップデータに対してエンコード処理された画像データに基づいて、光ディスク２を１回転させて変色層１０２への画像形成を行うものとして説明する。
【００４９】
画像データ検出回路３１は、エンコーダ８のエンコード処理の結果得られたデータのうち画像データを検出する場合（つまり、描画モードの場合）、描画制御回路３３に画像データを送信させる。また、画像データ検出回路３１は、画像データを検出しない場合（つまり、情報記録／再生モードの場合）、ストラテジ回路３６にエンコード処理された記録データを送信させる。
【００５０】
描画制御回路３３は、描画モードにおいて、エンコーダ８からの画像データに基づいて、レーザー光の光強度を描画レベルとするためのパルス（以下、描画パルスという）をレーザードライバ１７に送信する。また、描画制御回路３３は、描画モード及び描画中断・再開モードの期間中、レーザー光の光強度を再生レベルとするための直流信号（以下、サーボ信号Ａという）をレーザードライバ１７に送信する。
【００５１】
ストラテジ回路３６は、情報記録モードにおいて、エンコーダ８からの記録データに基づいて、レーザー光の光強度を記録層に記録可能なレベルとするためのパルス（以下、記録パルスという）を、レーザードライバ１７に送信する。更に、ストラテジ回路３６は、情報記録モードの期間中、レーザー光の光強度を少なくともフォーカス制御可能なレベル（＜記録層に記録可能なレベル）とするための直流信号（以下、サーボ信号Ｂという）をレーザードライバ１７に送信する。また、ストラテジ回路３６は、情報再生モードの期間中、サーボ信号Ｂをレーザードライバ１７に送信する。
【００５２】
レーザーパワー制御回路３２は、ＡＰＣ（Automatic Power Control）回路を有し、光ピックアップ装置１１のフロントモニタダイオードにて受光されるレーザー光の光強度を検出し、変色層１０２又は記録層に実際に照射されるレーザー光の光強度を算出する。そして、レーザーパワー制御回路３２は、変色層１０２又は記録層に実際に照射されるレーザー光の光強度を、統括制御部６からの制御信号が示す光強度とするべく、レーザードライバ１７に制御信号を送信する。詳述すると、レーザーパワー制御回路３２は、描画モードにおいて、描画制御回路３３が描画パルスをレーザードライバ１７に送信するとき、変色層１０２に実際に照射されるレーザー光の光強度を描画レベルとするための制御信号をレーザードライバ１７に送信する。更に、レーザーパワー制御回路３２は、描画モードの期間中において、描画制御回路３３が描画パルスをレーザードライバ１７に送信しないとき、変色層１０２に実際に照射されるレーザー光の光強度を再生レベルとするための制御信号をレーザードライバ１７に送信する。また、レーザーパワー制御回路３２は、描画中断・再開モードの期間中、変色層１０２に実際に照射されるレーザー光の光強度を再生レベルとするための制御信号をレーザードライバ１７に送信する。また、レーザーパワー制御回路３２は、情報再生モードの期間中、記録層に実際に照射されるレーザー光の光強度を、フォーカス制御可能なレベルとするための制御信号をレーザードライバ１７に送信する。また、レーザーパワー制御回路３２は、情報記録モードにおいて、ストラテジ回路３６が記録パルスをレーザードライバ１７に送信するとき、記録層に実際に照射されるレーザー光の光強度を記録層に記録可能なレベルとするための制御信号をレーザードライバ１７に送信する。更に、レーザーパワー制御回路３２は、情報記録モードの期間中において、ストラテジ回路３６が記録パルスをレーザードライバ１７に送信しないとき、記録層に実際に照射されるレーザー光の光強度をフォーカス制御可能なレベルとするための制御信号をレーザードライバ１７に送信する。尚、本実施形態においては、光ディスク２の回転方式としてＣＡＶ方式を採用しているため、光ピックアップ装置１１が内周側から外周側へ移動するにつれて当該光ディスク２の線速度が速くなる。このため、レーザーパワー制御回路３２は、光ピックアップ装置１１の移動量に基づく統括制御部６からの制御信号に基づいて、光ピックアップ装置１１が外周側に移動するにつれてレーザー光の光強度が大きくなるような制御信号を、レーザードライバ１７に送信する。
【００５３】
レーザードライバ１７は、描画パルス又は記録パルスが入力される記録用端子（不図示）と、サーボ信号Ａ又はサーボ信号Ｂが入力される再生用端子（不図示）とを有している。レーザードライバ１７は、描画モードにおいて、レーザーパワー制御回路３２からの制御信号と再生用端子に入力されるサーボ信号Ａとに応じた駆動信号を半導体レーザー１２に供給し続けるとともに、記録用端子に描画パルスが入力されたとき、当該制御信号に描画パルス分を重畳した駆動信号を半導体レーザー１２に供給する。この結果、半導体レーザー１２は、記録用端子に描画パルスが入力されたとき描画レベルのレーザー光を出射し、記録用端子に描画パルスが入力されていないとき再生レベルのレーザー光を出射することとなる。また、レーザードライバ１７は、描画中断・再開モードの期間中、レーザーパワー制御回路３２からの制御信号と再生用端子に入力されるサーボ信号Ａとに応じた駆動信号を、半導体レーザー１２に供給する。この結果、半導体レーザー１２は、描画中断・再開モードの期間中、再生レベルのレーザー光を出射することとなる。また、レーザードライバ１７は、情報再生モードの期間中、レーザーパワー制御回路３２からの制御信号と再生用端子に入力されるサーボ信号Ｂとに応じた駆動信号を半導体レーザー１２に供給する。この結果、半導体レーザー１２は、情報再生モードの期間中、フォーカス制御可能なレベルのレーザー光を出射することとなる。また、レーザードライバ１７は、情報記録モードの期間中、レーザーパワー制御回路３２からの制御信号と再生用端子に入力されるサーボ信号Ｂとに応じた駆動信号を半導体レーザー１２に供給し続けるとともに、記録用端子に記録パルスが入力されたとき、当該駆動信号に記録パルス分を重畳した駆動信号を半導体レーザー１２に供給する。この結果、半導体レーザー１２は、記録用端子に記録パルスが入力されたとき記録層に記録可能なレベルのレーザー光を出射し、記録用端子に記録パルスが入力されていないときフォーカス制御可能なレベルのレーザー光を出射することとなる。
【００５４】
＜＜光ディスク装置１の動作＞＞
以下、図１乃至図３を適宜参照しつつ、図５を用いて本発明に係る光ディスク装置１の描画モード及び描画中断・再開モードにおける動作の一例について説明する。図５は、本発明に係る光ディスク装置１の動作の一例を示すフォローチャートである。
【００５５】
統括制御部６は、ホストコンピュータ２５からの変色層１０２へ画像形成するための指示信号を受信すると（Ｓ１０１・ＹＥＳ）、光ディスク装置１の描画モードを開始する。統括制御部６は、例えば、チャッキング機構に光ディスク２が設置され、当該光ディスク２の引き込みを検出すると、再生レベルのレーザー光を半導体レーザー１２から出射させるべく、描画制御回路３３に指示信号を送信する。描画制御回路３３は、統括制御部６からの指示信号に基づいて、サーボ信号Ａをレーザードライバ１７に送信する。また、統括制御部６は、変色層１０２に実際に照射されるレーザー光の光強度を再生レベルとするための制御信号を、レーザーパワー制御回路３２に送信する。レーザーパワー制御回路３２は、統括制御部６からの制御信号に基づく制御信号を、レーザードライバ１７に送信する。レーザードライバ１７は、レーザーパワー制御回路３２からの制御信号と描画制御回路３３からのサーボ信号Ａとに応じた駆動信号を、半導体レーザー１２に供給する。半導体レーザー１２は、駆動信号により発生する電流に対応した再生レベルのレーザー光を出射する。レーザー光は、各種光学系を透過、反射等した後、対物レンズ１４に入射し収束光に変換されて光ディスク２に対して出射される。また、統括制御部６は、光ディスク２のリードイン領域にレーザー光を照射させるべく、スレッド制御回路２８に制御信号を送信する。スレッド制御回路２８は、制御信号に基づいて、光ディスク２のリードイン領域と対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。この結果、光ディスク２のリードイン領域にレーザー光が照射されることとなる。光ディスク２のリードイン領域からのレーザー光の反射光は、対物レンズ１４にて平行光に変換されて、各種光学系を透過、反射等した後、アナモフィックレンズにより非点収差が付与されて光検出器１３にて受光される。光検出器１３は、受光領域Ａ乃至Ｄにて受光した反射光のレベルに相当する光電変換信号ａ乃至ｄを、ＲＦ信号処理回路２１、フォーカス信号処理回路２０、トラッキング信号処理回路１９に出力する。尚、本発明の要旨に関係しないため説明は省略するが、フォーカス信号処理回路２０は、描画モード及び描画中断・再開モードの期間中、光電変換信号ａ乃至ｄに基づいてフォーカス制御を行う。また、トラッキング信号処理回路１９は、前述したように描画モード及び描画中断・再開モードにおいてはトラッキング制御が停止されるため、例えば統括制御部６からの制御信号に基づいて、トラッキングエラー信号の生成を停止する。
【００５６】
ＲＦ信号処理回路２１は、光電変換信号ａ乃至ｄに基づいてＲＦ信号を生成し、当該ＲＦ信号に対してゲインコントロール、イコライジング処理を施し２値データ化した信号を、デコーダ２２に出力する。２値データ化された信号は、デコーダ２２にてデコード処理が施され、デコード処理の結果得られたＡＴＩＰ情報等がバッファメモリ２３に送信される。統括制御部６は、ＡＴＩＰ情報等に基づいて光ディスク２の回転方式をＣＡＶ方式に決定するとともに、光ディスク２を回転速度情報が示す回転速度で回転させるための回転速度指示信号を、スピンドルモータ制御回路４に送信する（Ｓ１０２）。また、統括制御部６は、回転方式をＣＡＶ方式に決定したことに基づいて、光ディスク２の内周側から外周側へ光ピックアップ装置１１が移動するにつれてレーザー光の光強度を大きくするべく、レーザーパワー制御回路３２に制御信号を送信する。また、統括制御部６は、例えば、アクチュエータ１５に固有の共振周波数を示す共振周波数情報を、メモリ２７から読み出す。そして、統括制御部６は、共振周波数情報と光ディスク２の回転周波数とに基づいて、振動付加回路１８にて生成させる交流信号の周波数を算出する。詳述すると、統括制御部６は、交流信号の周波数を、共振周波数と実際の回転周波数の１以上の整数倍となる周波数とを除いた周波数とするための制御信号を生成する。更に、統括制御部６は、交流信号の振幅を、光ピックアップ装置１１の最小移動距離と等しくなる振幅とするための制御信号を生成する。そして、統括制御部６は、描画モード及び描画中断・再開モードの期間中、この制御信号を振動付加回路１８に送信する。この結果、光ディスク２に対して、制御信号が示す振動周波数及び振幅にて振動したレーザー光が出射されることとなる。
【００５７】
スピンドルモータ制御回路４は、統括制御部６からの回転速度指示信号に基づいて、光ディスク２の回転速度を当該回転速度指示信号が示す回転速度とするべく、スピンドルモータ３に印加させる制御電圧のレベルを算出する。スピンドルモータ３は、スピンドルモータ制御回路４からの制御電圧が印加されることにより回転する。ＦＧ発生回路５は、スピンドルモータ３が回転するときの逆起電圧に基づいて、スピンドルモータ３の１回転あたりにつき（光ディスク２の１回転あたりにつき）１８パルスのＦＧ信号を生成して、分周回路９、カウンタ３４に出力する。分周回路９は、ＦＧ信号を１／１８分周したＳＦＧ信号を、位相比較回路４０に出力する。
【００５８】
発振回路３８は、所定周波数のＣＬＫを生成して分周回路３９、エンコーダ８、位置検出回路３７、カウンタ４１に出力する。分周回路３９は、ＣＬＫを１／ｎ分周して得られる信号を、位相比較回路４０に出力する。位相比較回路４０は、ＳＦＧ信号の立上りと分周回路３９からの信号の立上りの位相を比較した比較結果を、スピンドルモータ制御回路４に出力する。スピンドルモータ制御回路４は、位相比較回路４０からの比較結果に基づいて、ＳＦＧ信号と分周回路３９からの信号との位相を同期させるべく、スピンドルモータ３に印加させる制御電圧のレベルを調整制御する。この結果、ＳＦＧ信号と分周回路３９からの信号との位相が同期するとともに、回転速度指示信号が示す回転速度にて光ディスク２が回転することとなる。
【００５９】
カウンタ３４は、ＦＧ信号の立上りをカウントする。統括制御部６は、カウンタ３４のカウント開始に基づいて、計時を開始するための制御信号を、タイマ３５に送信する。タイマ３５は、制御信号に基づいて計時を開始する。そして、統括制御部６は、カウンタ３４のカウント値が１８に達したときのタイマ３５の計時に基づいて、光ディスク２の回転速度｛３０（回転／秒）｝情報を取得するとともに（Ｓ１０３）、当該カウンタ３４、タイマ３５にリセット信号を送信する。
【００６０】
また、カウンタ４１は、ＣＬＫの立上りをカウントする。統括制御部６は、光ディスク２の回転速度情報を取得した後のカウンタ４１のカウント開始に基づいて、計時を開始するための制御信号を、タイマ３５に送信する。タイマ３５は、制御信号に基づいて計時を開始する。そして、統括制御部６は、タイマ３５の計時が１秒を計時したときのカウンタ４１のカウント値に基づいて、エンコーダ８のエンコード速度｛２２０３２００（バイト／秒）｝情報を取得するとともに（Ｓ１０４）、当該カウンタ４１、タイマ３５にリセット信号を送信する。
【００６１】
統括制御部６は、回転速度情報とエンコーダ速度情報とに基づいて、光ディスク２の全周を半径方向に分割する変色層１０２上のセクタの数を算出する。  
詳述すると、統括制御部６は、
［エンコード速度｛２２０３２００（バイト／秒）｝］／［回転速度｛３０（回転／秒）｝］
の演算結果から、光ディスク２が１回転する期間において、エンコーダ８がエンコード処理可能なデータ量｛７３４４０（バイト／回転）｝を算出する。そして、統括制御部６は、
｛７３４４０（バイト／回転）｝／｛２４４８（バイト／セクタ）｝
の演算結果から、光ディスク２の全周を半径方向に分割する変色層１０２上のセクタの数（３０）を算出する（Ｓ１０５）。
【００６２】
そして、光ディスク装置１は、図３に示す光ディスク２の全周を半径方向に分割する変色層１０２上の第１セクタ〜第３０セクタに対し、各セクタを単位として画像形成を行うこととなる。尚、本実施形態において統括制御部６は、セクタの数（３０）の取得を、エンコード速度と回転速度とを用いた演算処理により求めているが、これに限るものではない。例えば、予め実験等により複数のエンコード速度情報と回転速度情報を得る。また、各エンコード速度と各回転速度とを演算処理して複数のセクタの数を示すセクタ数情報を得る。そして、各エンコード速度、各回転速度、各セクタの数を１対１に対応させたテーブルデータをメモリ２７に記憶させておく。そして、統括制御部６は、描画モードにおいて得られるエンコード速度情報と回転速度情報とに基づいて、メモリ２７のテーブルデータからセクタ数情報を読み出してセクタの数を取得するように設けても良い。
【００６３】
統括制御部６は、光ディスク２が１回転する期間において分周回路５０が出力するセクタ同期信号のパルス数を３０（セクタ数）とするための分周率信号を、分周回路５０に送信する（Ｓ１０６）。この結果、分周回路５０は、分周率信号に基づいて定まる分周率でＣＬＫを分周し、光ディスク２が１回転する期間において３０パルスとなるセクタ同期信号を、カウンタ５１に出力する。カウンタ５１は、セクタ同期信号の立上りをカウントする。
【００６４】
次に、統括制御部６は、バッファメモリ２３の容量（１５７２８６４バイト）に基づいて、当該バッファメモリ２３が保持するビットマップデータのデータ量を算出する。  
詳述すると、統括制御部６は、
｛バッファメモリ２３の容量（１５７２８６４バイト）｝／｛セクタ数（３０）×２４４８（バイト／セクタ）｝
の演算結果である商（２１）を算出する。そして、統括制御部６は、バッファメモリ２３が保持するビットマップデータのデータ量を、
セクタ数（３０）×２４４８（バイト／セクタ）×商（２１）＝１５４２２４０バイト
を最大値とするべくバッファメモリ２３を制御する（Ｓ１０７）。この結果、バッファメモリ２３は、光ディスク２の２１（商）回転分のデータ量を最大値としてビットマップデータを保持することとなる。
【００６５】
バッファメモリ２３は、ホストコンピュータ２５からの転送速度｛１８３６００（バイト／秒）｝で送信されるビットマップデータを保持する。統括制御部６は、バッファメモリ２３の保持動作により、２１回転分のデータ量（１５４２２４０バイト）のビットマップデータをバッファメモリ２３が保持しているか否かを判別する（Ｓ１０８）。統括制御部６は、バッファメモリ２３が２１回転分のデータ量のビットマップデータを保持していると判別すると（Ｓ１０８・ＹＥＳ）、光ディスク２の第１回転目における全周を半径方向に分割する変色層１０２上の第１セクタ〜第３０セクタにレーザー光を照射させるべく、スレッド制御回路２８に制御信号を送信する。スレッド制御回路２８は、制御信号に基づいて、第１回転目における全周を半径方向に分割する変色層１０２上の第１セクタ〜第３０セクタと対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。また、統括制御部６は、光ディスク２の回転数を示す変数ｉを１とする（Ｓ１０９）。そして、統括制御部６は、カウンタ５１のカウント値が１に達したか否かを判別する（Ｓ１１０）。つまり、統括制御部６は、光ディスク２の回転によりレーザー光が第１セクタを照射するタイミングを、カウンタ５１のカウント値が１に達することにより判別する。統括制御部６は、カウンタ５１のカウント値が１に達したと判別すると（Ｓ１１０・ＹＥＳ）、バッファメモリ２３が保持する２１回転分のビットマップデータのうち、第１回転目の第１セクタ〜第３０セクタに応じたデータ量（７３４４０バイト）のビットマップデータを、エンコーダ８に送信する（Ｓ１１１）。このとき、バッファメモリ２３が保持するビットマップデータのデータ量は、２０回転分のデータ量となる。その後、バッファメモリ２３は、ホストコンピュータ２５からの転送速度｛１８３６００（バイト／秒）｝で送信されるビットマップデータを保持する。しかしながら、ホストコンピュータ２５の転送速度は、エンコーダ８のエンコード速度｛２２０３２００（バイト／秒）｝よりも遅いため、バッファメモリ２３が保持するビットマップデータのデータ量は、２１回転分のデータ量から徐々に減少していくこととなる。
【００６６】
エンコーダ８は、ビットマップデータに対して、ＣＬＫに基づいたエンコード速度｛２２０３２００（バイト／秒）｝でエンコード処理を行って画像データに変換する。画像データ検出回路３１は、エンコード処理結果から画像データを検出すると、当該画像データのうちの第１セクタの各ドットの濃淡を示す濃淡データ群を、描画制御回路３３に送信させる。描画制御回路３３は、第１セクタの各ドットの濃淡を示す濃淡データ群に基づいて、レーザー光の光強度を描画レベルとするための描画パルスを、レーザードライバ１７に送信する。また、描画制御回路３３は、レーザー光の光強度を再生レベルとするためのサーボ信号Ａを、描画モード及び描画中断・再開モードの期間中、レーザードライバ１７に送信する。レーザーパワー制御回路３２は、描画制御回路３３が描画パルスをレーザードライバ１７に送信するとき、第１セクタに実際に照射されるレーザー光の光強度を描画レベルとするための制御信号を、レーザードライバ１７に送信する。また、レーザーパワー制御回路３２は、描画モードの期間中において描画制御回路３３が描画パルスをレーザードライバ１７に送信しないとき、及び描画中断・再開モードの期間中、第１セクタに実際に照射されるレーザー光の光強度を再生レベルとするための制御信号を、レーザードライバ１７に送信する。レーザードライバ１７は、レーザーパワー制御回路３２からの制御信号と再生用端子に入力されるサーボ信号Ａとに応じた駆動信号を半導体レーザー１２に供給し続けるとともに、記録用端子に描画パルスが入力されたとき、当該制御信号に描画パルス分を重畳した駆動信号を半導体レーザー１２に供給する。半導体レーザー１２は、記録用端子に描画パルスが入力されたとき描画レベルのレーザー光を出射し、記録用端子に描画パルスが入力されないとき再生レベルのレーザー光を出射する。この結果、光ディスク２の第１回転目における第１セクタへの画像形成が行われることとなる。
【００６７】
次に、統括制御部６は、カウンタ５１のカウント値が２に達したことを判別する。そして、このタイミングにおける上述の処理により、画像データのうちの第２セクタの各ドットの濃淡を示す濃淡データ群が、エンコーダ８から描画制御回路３３に送信されることとなる。さらに、第２セクタの各ドットの濃淡を示す濃淡データ群に基づいて上述の処理が行われることにより、光ディスク２の第１回転目における第２セクタへの画像形成が行われることとなる。そして、このような処理を繰り返すことにより、第１回転目における第１セクタ〜第３０セクタへの画像形成が行われることとなる（Ｓ１１２）。また、統括制御部６は、カウンタ５１のカウント値が３０に達したと判別すると、カウンタ５１をリセットするためのリセット信号を当該カウンタ５１に送信する。
【００６８】
そして、統括制御部６は、例えばバッファメモリ２３が未だビットマップデータを保持しているか否かを判別することにより、エンコーダ８に送信したビットマップデータ（第１回転目の第１セクタ〜第３０セクタに応じたデータ量のビットマップデータ）が、本描画モードにおける最後のビットマップデータであるか否かを判別する（Ｓ１１３）。統括制御部６は、最後のビットマップデータではないと判別すると（Ｓ１１３・ＮＯ）、変数ｉをインクリメントして２（第２回転目）とする（Ｓ１１４）。そして、統括制御部６は、バッファメモリ２３が保持するビットマップデータのデータ量が、２回転分のデータ量（７３４４０バイト×２＝１４６８８０バイト）未満であるか否かを判別する（Ｓ１１５）。統括制御部６は、バッファメモリ２３が保持するビットマップデータのデータ量が２回転分のデータ量未満でないと判別すると（Ｓ１１５・ＮＯ）、光ディスク２の第２回転目における全周を半径方向に分割する変色層１０２上の第１セクタ〜第３０セクタにレーザー光を照射させるべく、スレッド制御回路２８に制御信号を送信する。そして、統括制御部６からの制御信号に基づく上述の処理により、ステッピングモータ２９が最小ステップ距離分回転し、光ピックアップ装置１１が外周側へ最小移動距離分移動することとなる（Ｓ１１６）。そして、上述のＳ１１０乃至Ｓ１１４の処理が繰り返されることにより、第２回転目における第１セクタ〜第３０セクタへの画像形成が行われることとなる。このように、バッファメモリ２３が保持するビットマップデータのデータ量が、２回転分のデータ量未満に達するまで上述の処理が繰り返されることにより、光ディスク２の変色層１０２への画像形成が行われることとなる。
【００６９】
以下、統括制御部６が、バッファメモリ２３が保持するビットマップデータのうち、例えば、第ｎ−１回転目の第１セクタ〜第３０セクタに応じたデータ量（７３４４０バイト）のビットマップデータをエンコーダ８に送信したとき、バッファメモリ２３が保持するビットマップデータのデータ量が、２回転分のデータ量未満に達したものとして説明する。光ディスク装置１は、上述のＳ１１２、Ｓ１１３の処理を行い、第ｎ−１回転目における第１セクタ〜第３０セクタへの画像形成を行う。統括制御部６は、変数ｉをインクリメントしてｎ（第ｎ回転目）とし（Ｓ１１４）、バッファメモリ２３が保持するビットマップデータのデータ量が、２回転分のデータ量未満に達したと判別する（Ｓ１１５・ＹＥＳ）。統括制御部６は、この判別結果に基づいて、光ディスク装置１の描画中断・再生モードを開始する（Ｓ１１７）。先ず、統括制御部６は、光ディスク２の第ｎ回転目における全周を半径方向に分割する変色層１０２上の第１セクタ〜第３０セクタにレーザー光を照射させるべく、スレッド制御回路２８に制御信号を送信する。そして、統括制御部６からの制御信号に基づく上述の処理により、ステッピングモータ２９が最小ステップ距離分回転し、光ピックアップ装置１１が外周側へ最小移動距離分移動することとなる（Ｓ１１８）。統括制御部６は、カウンタ５１のカウント値が１に達したと判別すると（Ｓ１１９・ＹＥＳ）、バッファメモリ２３が保持する２回転分のビットマップデータのうち、第ｎ回転目の第１セクタ〜第３０セクタに応じたデータ量（７３４４０バイト）のビットマップデータをエンコーダ８に送信する（Ｓ１２０）。このとき、バッファメモリ２３が保持するビットマップデータのデータ量は、１回転（第ｎ＋１回転）分のデータ量となる。そして、第ｎ回転目に応じたビットマップデータに基づいて、第ｎ回転目における第１セクタ〜第３０セクタへの画像形成が行われることとなる（Ｓ１２１）。
【００７０】
そして、統括制御部６は、カウンタ５１のカウント値が３０に達したと判別すると（Ｓ１２２・ＹＥＳ）、光ディスク２の第ｎ＋１回転目（次の第１回転目）における全周を半径方向に分割する変色層１０２上の第１セクタ〜第３０セクタにレーザー光を照射させるべく、スレッド制御回路２８に制御信号を送信する。そして、統括制御部６からの制御信号に基づく上述の処理により、ステッピングモータ２９が最小ステップ距離分回転し、光ピックアップ装置１１が外周側へ最小移動距離分移動することとなる（Ｓ１２３）。そして、統括制御部６は、スレッド制御を停止するための制御信号をスレッド制御回路２８に送信する（Ｓ１２４）。また、統括制御部６は、レーザー光の光強度を再生レベルとするための制御信号をレーザーパワー制御回路３２に送信する（Ｓ１２５）。この結果、光ディスク２の回転速度を回転速度情報が示す回転速度に保持しつつ、再生レベルのレーザー光が第ｎ＋１回転目（次の第１回転目）における第１セクタ〜第３０セクタの変色層１０２に照射されることとなる。また、統括制御部６は、バッファメモリ２３が保持する１回転分のデータ量のビットマップデータのエンコーダ８への送信を停止する（Ｓ１２６）。この結果、ビットマップデータを損じることなく、画像形成が中断されることとなる。この後、バッファメモリ２３は、ホストコンピュータ２５からの転送速度｛１８３６００（バイト／秒）｝で送信されるビットマップデータをエンコーダ８へ送信することなく保持し、当該バッファメモリ２３にはビットマップデータが蓄積されることとなる。
【００７１】
そして、統括制御部６は、バッファメモリ２３の保持動作により、２１回転分のデータ量（１５４２２４０バイト）のビットマップデータをバッファメモリ２３が保持しているか否かを判別する（Ｓ１２７）。そして、統括制御部６は、バッファメモリ２３が２１回転分のデータ量のビットマップデータを保持していると判別すると（Ｓ１２７・ＹＥＳ）、レーザー光の光強度を描画レベルとするための制御信号をレーザーパワー制御回路３２に送信する（Ｓ１２８）。また、統括制御部６は、スレッド制御を再開するための制御信号をスレッド制御回路２８に送信し（Ｓ１２９）、変数ｉを１とする（Ｓ１０９）。そして、統括制御部６は、カウンタ５１のカウント値が１に達したか否かを判別する（Ｓ１１０）。つまり、統括制御部６は、バッファメモリ２３が２１回転分のデータ量のビットマップデータを再び保持した後の光ディスク２の回転により、レーザー光が次の第１回転目（第ｎ＋１回転目）の第１セクタを照射するタイミングを、カウンタ５１のカウント値が１に達することにより判別する。
【００７２】
統括制御部６は、カウンタ５１のカウント値が１に達したと判別すると（Ｓ１１０・ＹＥＳ）、バッファメモリ２３が保持する２１回転分のビットデータのうち、第１回転目（第ｎ＋１回転目）に応じたデータ量（７３４４０バイト）のビットマップデータを、エンコーダ８に送信する（Ｓ１１１）。そして、上述の処理を繰り返すことにより、第１回転目（第ｎ＋１回転目）における第１セクタ〜第３０セクタへの画像形成が行われることとなる。この結果、ホストコンピュータ２５のビットマップデータの転送速度｛１８３６００（バイト／秒）｝とエンコード速度｛２２０３２００（バイト／秒）｝との相違によりバッファアンダーランが発生する可能性があっても、光ディスク２の変色層１０２への良好な画像形成を行うことが可能となる。
【００７３】
尚、上述した実施形態によれば、バッファメモリ２３に保持されているビットマップデータのデータ量が２回転分のデータ量未満に達したとき、光ディスク装置１は描画中断・再開モードを開始しているが、これに限るものではない。例えば、バッファメモリ２３に保持されているビットマップデータのデータ量が、３回転分以上のデータ量未満に達したとき、描画中断・再開モードを開始するように設けても良い。この結果、仮に、バッファメモリ２３に保持されているビットマップデータのデータ量が３回転分以上のデータ量未満に達したと判別したとき、誤ってＳ１１６の処理へ移行した場合であっても、バッファメモリ２３が保持するビットマップデータのデータ量が２回転分以上のデータ量となる状態において、再び３回転分以上のデータ量未満に達したか否かを判別することが可能となる。この結果、光ディスク２の変色層１０２への画像形成において、バッファアンダーランの発生による画像形成の影響をより確実に防止又は軽減することが可能となる。
【００７４】
上述した実施形態によれば、光ディスク２の回転速度とエンコード速度とから定まる数（３０）で、光ディスク２の全周を半径方向に分割した第１セクタを基準位置とする第１セクタ〜第３０セクタに基づいて、光ディスク２の回転方向における変色層１０２上の位置（セクタ）を判別することが可能となる。この結果、光ディスク２の変色層１０２への画像形成を正確に行うことが可能となる。
【００７５】
更に、カウンタ５１のカウント値に基づいて変色層１０２上の位置（セクタ）を判別するタイミングに同期して、エンコーダ８がＣＬＫに基づいて当該位置（セクタ）における変色層１０２に画像を形成するための画像データを送信することが可能となる。この結果、光ディスク２の変色層１０２への画像形成をより正確に行うことが可能となる。
【００７６】
更に、統括制御部６は、カウンタ５１のカウント値に基づいて、変色層１０２上の位置（セクタ）を判別し、バッファメモリ２３が保持するビットマップデータをエンコーダ８に送信することが可能となる。この結果、ビットマップデータのエンコーダ８への送信を統括制御部６が制御することが可能となり、光ディスク２の変色層１０２への画像形成をより正確に行うことが可能となる。
【００７７】
更に、統括制御部６は、バッファメモリ２３が保持するビットマップデータのデータ量が２回転分のデータ量未満であると判別したとき、エンコーダ８へのビットマップデータの送信を停止することが可能となる。この結果、バッファメモリ２３の保持動作により、ビットマップデータの蓄積を図ることが可能となる。
【００７８】
更に、統括制御部６は、バッファメモリ２３が保持するビットマップデータのデータ量が２回転分のデータ量未満でないと判別し、カウンタ５１のカウント値が変色層１０２上の位置（第１セクタ）を示す‘１’であると判別したとき、エンコーダ８へのビットマップデータの送信を再開することが可能となる。この結果、バッファメモリ２３が保持するビットマップデータの減少により描画モードが中断される場合であっても、光ディスク２への画像形成を正確に行うことが可能となる。つまり、バッファアンダーラン等による画像形成への影響を防止、軽減することが可能となる。
【００７９】
更に、統括制御部６は、１周分（回転目）の変色層１０２に画像を形成可能なデータ量（７３４４０バイト）を単位として、エンコーダ８にビットマップデータを送信することが可能となる。この結果、第１セクタを基準位置とする変色層１０２への画像形成を、全ての回転において行うことが可能となる。この結果、描画中断・再開モードに係る処理を容易なものとすることが可能となる。更に、１周分（回転目）の変色層１０２に画像が形成された後、光ディスク２の径方向へ光ピックアップ装置１１（半導体レーザー１２）を移動することとなり、変色層１０２全体に画像を形成することが可能となる。
【００８０】
更に、統括制御部６が、バッファメモリ２３が保持するビットマップデータのデータ量が２回転分のデータ量未満（但し、実施形態においては、１回転分の画像形成が行われるためバッファメモリ２３が保持するデータ量は１回転分のデータ量となる）であると判別したとき、エンコーダ８へのビットマップデータの送信を停止することから、描画中断・再開モードを出来るだけ行わずに画像形成を行うことが可能となる。この結果、例えば、ホストコンピュータ２５から送信されるビットマップデータのデータ量が２０回転分のデータ量であるとき、描画中断・再開モードを行わずに画像形成を行うことが可能となり、変色層１０２への画像形成を迅速に行うことが可能となる。
【００８１】
また、上述の光ディスク装置１の処理をプログラムデータとしてメモリ２７等に予め記憶させておき、当該プログラムデータを読み出して処理することによりソフトウェア処理することも可能となる。
【００８２】
＝＝＝第２の実施形態＝＝＝
＜＜光ディスク装置６０の全体構成＞＞
以下、図６、図７を用いて本発明に係る光ディスク装置６０の全体構成について説明する。図６は、本発明に係る光ディスク装置６０の全体構成の一例を示すブロック図である。図７は、図１に示すＦＥ（フォーカスエラー）信号変動検出回路６１の構成の一例を示すブロック図である。尚、図６において示す図１と同一の構成については、同一符号を付して説明を省略する。
【００８３】
光ディスク装置６０は、スピンドルモータ３、回転軸７、スピンドルモータ制御回路４、ＦＧ発生回路５、分周回路９、３９、光ピックアップ装置１１、ＲＦ信号処理回路２１、デコーダ２２、フォーカス信号処理回路２０、ＦＥ信号変動検出回路６１（変化量判別部）、トラッキング信号処理回路１９、振動付加回路１８、ステッピングモータ２９、スレッド制御回路２８、統括制御部６２（回転部、分割エリア割当部、判別部、制御部、データ量判別部）、カウンタ３４、４１、タイマ３５、バッファメモリ２３、インタフェース２４、エンコーダ８、位置検出回路３７、画像データ検出回路３１、描画制御回路３３、ストラテジ回路３６、レーザーパワー制御回路３２、レーザードライバ１７、発振回路３８、位相比較回路４０を有する。
【００８４】
ＦＥ信号変動検出回路６１は、図７に示すように、カップリングコンデンサ６５、微分回路６６、基準電気信号発生回路６７、比較回路６８を有している。
【００８５】
カップリングコンデンサ６５は、フォーカス信号処理回路２０からのフォーカスエラー信号の直流成分をカットし、フォーカスエラー信号の交流成分を微分回路６６に出力する。
【００８６】
微分回路６６は、フォーカスエラー信号の交流分を微分した微分結果を示す電気信号を、比較回路６８に送信する。この微分結果を示す電気信号のレベルは、フォーカスエラー信号の変化の大きさに対応したものとなる。例えば、光ディスク装置６０が受ける外部からの衝撃が大きくなるにつれて、変色層１０２に対するレーザー光の焦点のずれ量が大きくなる。この結果、フォーカスエラー信号の振幅等が大きく変化し、微分結果を示す電気信号のレベルは大きくなる。
【００８７】
基準電気信号発生回路６７は、微分結果を示す電気信号のレベルがフォーカス制御の破綻を招くほどのレベルであるか否かを比較回路６８にて比較するための基準電気信号を、比較回路６８に送信する。尚、この基準電気信号は、例えば予め実験等において、光ディスク装置６０に衝撃を与えて、フォーカス制御の破綻が起こる直前の微分回路６６からの電気信号を検出することによって得ることが可能である。尚、本実施形態においては、フォーカス制御の破綻が起こる直前の微分回路６６からの電気信号を、基準電気信号として設けているが、これに限るものではない。例えば、基準電気信号に、フォーカス制御の破綻が起こる直前よりも更に前の微分回路６６からの電気信号を設けることも可能である。この結果、フォーカス制御の破綻をより確実に回避可能な基準電気信号を設けることが可能となる。
【００８８】
比較回路６８は、微分結果を示す電気信号が基準電気信号よりハイレベルである場合、例えば一方の論理値‘１’を、統括制御部６２に出力する。また、微分回路６６は、微分結果を示す電気信号が基準電気信号よりローレベルである場合。他方の論理値‘０’を、統括制御部６２に出力する。
【００８９】
統括制御部６２は、ＣＰＵ６３、メモリ６４（記憶部）を有している。ＣＰＵ６３は、例えばホストコンピュータ２５からの指示信号に基づいた各モードに適した処理を光ディスク装置６０が実行するべく、当該光ディスク装置６０を統括制御するものである。メモリ６４は、ＣＰＵ６３が統括制御を行うためのプログラムデータが予め記憶されている。また、メモリ６４は、ＣＰＵ６３が各モードにおいて設定する変数が記憶される。このメモリ６４は、例えば、データを製造工程で焼付け固定するマスクＲＯＭ、データを紫外線消去することによりデータを繰り返し書き込み又は消去可能なＥＰＲＯＭ、データを電気消去することによりデータを繰り返し書き込み又は消去可能なＥＥＰＲＯＭ等の不揮発性記憶素子で構成される。
【００９０】
統括制御部６２は、各モードにおいて、デコーダ２２からのＡＴＩＰ情報等に基づいて光ディスク２に適用する回転方式を決定し、スピンドルモータ制御回路４に回転速度指示信号を送信する。統括制御部６２は、カウンタ３４のカウント開始に基づいてタイマ３５が計時を開始するための制御信号を送信する。そして、統括制御部６２は、カウンタ３４のカウント値が１８に達したときのタイマ３５の計時に基づいて光ディスク２の回転速度情報を取得するとともに、当該カウンタ３４、タイマ３５をリセットするためのリセット信号を送信する。尚、本実施形態において統括制御部６２は、光ディスク２の回転速度情報を取得するべく、カウンタ３４、タイマ３５を用いているがこれに限るものではなく、前述の第１の実施形態と同様にＡＴＩＰ情報等に含まれる回転速度情報を直接取得するように設けても良い。
【００９１】
そして、統括制御部６２は、例えば回転速度情報を検出した後のカウンタ４１のカウント開始に基づいてタイマ３５が計時を開始するための制御信号を送信する。そして、統括制御部６２は、タイマ３５の計時が例えば１秒を計時したときのカウンタ４１のカウント値に基づいて、エンコーダ８のエンコード速度情報を取得するとともに、当該カウンタ４１、タイマ３５をリセットするためのリセット信号を送信する。尚、本実施形態において統括制御部６２は、エンコーダ８のエンコード速度情報を取得するべく、カウンタ４１、タイマ３５を用いているがこれに限るものではなく、前述の第１の実施形態と同様にメモリ６４に記憶された周波数情報が示すＣＬＫの周波数に基づいてエンコード速度情報を取得するように設けても良い。
【００９２】
そして、統括制御部６２は、回転速度情報とエンコード速度情報とに基づいて、光ディスク２の全周を半径方向に分割する変色層１０２上のセクタの数を算出する。
【００９３】
統括制御部６２は、バッファメモリ２３が保持するビットマップデータのデータ量を、１セクタあたりのデータ量（２４４８バイト）の１以上の整数倍のデータ量とするべく、バッファメモリ２３を制御する。詳述すると、１セクタあたりのデータ量をＡ、バッファメモリ２３のビットマップデータを保持可能な容量をＢとしたとき、統括制御部６２は、例えば、Ｂ／Ａの商を算出し、当該商×Ａのデータ量を最大値としてバッファメモリ２３が保持するべく制御する。つまり、バッファメモリ２３は、統括制御部６２の制御により、セクタのデータ量（２４４８バイト）を商で倍したデータ量を最大値としてビットマップデータを保持することとなる。
【００９４】
また、統括制御部６２は、算出したセクタ数に基づいて、光ディスク２が１回転する期間において分周回路５０が出力するセクタ同期信号のパルス数を、例えば当該セクタ数と同一数とするための分周率信号を分周回路５０に送信する。この結果、セクタ同期信号の１つのパルスの周期と、光ディスク２が１セクタ分所定の回転方向へ回転する期間とは同期したものとなる。このため、統括制御部６２は、カウンタ５１のカウント値に基づいて、対物レンズ１４からのレーザー光が各セクタのうち何れのセクタを照射しているのかを判別することが可能となる。そして、統括制御部６２は、比較回路６８から他方の論理値‘０’が入力された後、カウンタ５１のカウント値が画像形成対象となるセクタを示す値に達したと判別すると、バッファメモリ２３に保持されたビットマップデータのうち、例えば１セクタあたりのデータ量（２４４８バイト）を単位としてエンコーダ８に送信する。この結果、バッファメモリ２３が保持するビットマップデータのデータ量は、１セクタあたりのデータ量（２４４８バイト）を単位として減少することとなる。尚、統括制御部６２は、カウンタ５１のカウント値がセクタ数と同一値に達したと判別すると、カウンタ５１をリセットするためのリセット信号を送信する。
【００９５】
また、統括制御部６２は、比較回路６８からの比較結果である一方の論理値‘１’が入力されると、光ディスク装置６０を描画中断・再開モードとする。統括制御部６２は、描画中断・再生モードにおいて、スレッド制御を停止するための制御信号を、スレッド制御回路２８に送信する。また、統括制御部６２は、レーザー光の光強度を再生レベルとするための制御信号を、レーザーパワー制御回路３２に送信する。また、統括制御部６２は、バッファメモリ２３が保持するビットマップデータのエンコーダ８への送信を停止する。そして、統括制御部６２によるこれらの制御により、光ディスク２の回転速度を回転速度情報が指示する回転速度に保持しつつ変色層１０２に画像を形成しない状態で、比較回路６８からの他方の論理値‘０’の入力を待つこととなる。そして、統括制御部６２は、他方の論理値‘０’が入力されると、レーザー光の光強度を描画レベルとするための制御信号を、レーザーパワー制御回路３２に送信する。また、スレッド制御を再開するための制御信号を、スレッド制御回路２８に送信する。また、統括制御部６２は、バッファメモリ２３が保持するビットマップデータのエンコーダ８への送信を再開する。この結果、変色層１０２への画像形成が再開されることとなる。
【００９６】
＜＜光ディスク装置６０の動作＞＞
以下、図３、図６、図７を適宜参照しつつ、図８を用いて本発明に係る光ディスク装置６０の描画形成モード及び描画中断・再開モードにおける動作の一例について説明する。図８は、本発明に係る光ディスク装置６０の動作の一例を示すフローチャートである。
【００９７】
統括制御部６２は、ホストコンピュータ２５からの変色層１０２へ画像形成するための指示信号を受信すると（Ｓ２０１・ＹＥＳ）、光ディスク装置６０の描画モードを開始する。統括制御部６２は、例えば、チャッキング機構に光ディスク２が設置され、当該光ディスク２の引き込みを検出すると、再生レベルのレーザー光を半導体レーザー１２から出射させるべく、描画制御回路３３に指示信号を送信する。描画制御回路３３は、統括制御部６２からの指示信号に基づいて、サーボ信号Ａをレーザードライバ１７に送信する。また、統括制御部６２は、変色層１０２に実際に照射されるレーザー光の光強度を再生レベルとするための制御信号を、レーザーパワー制御回路３２に送信する。レーザーパワー制御回路３２は、統括制御部６２からの制御信号に基づく制御信号を、レーザードライバ１７に送信する。レーザードライバ１７は、レーザーパワー制御回路３２からの制御信号と描画制御回路３３からのサーボ信号Ａとに応じた駆動信号を、半導体レーザー１２に供給する。半導体レーザー１２は、駆動信号により発生する電流に対応した再生レベルのレーザー光を出射する。レーザー光は、各種光学系を透過、反射等した後、対物レンズ１４に入射し収束光に変換されて光ディスク２に対して出射される。また、統括制御部６２は、光ディスク２のリードイン領域にレーザー光を照射させるべく、スレッド制御回路２８に制御信号を送信する。スレッド制御回路２８は、制御信号に基づいて、光ディスク２のリードイン領域と対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。この結果、光ディスク２のリードイン領域にレーザー光が照射されることとなる。光ディスク２のリードイン領域からのレーザー光の反射光は、対物レンズ１４にて平行光に変換されて、各種光学系を透過、反射等した後、アナモフィックレンズにより非点収差が付与されて光検出器１３にて受光される。光検出器１３は、受光領域Ａ乃至Ｄにて受光した反射光のレベルに相当する光電変換信号ａ乃至ｄを、ＲＦ信号処理回路２１、フォーカス信号処理回路２０、トラッキング信号処理回路１９に出力する。尚、本発明の要旨に関係しないため説明は省略するが、トラッキング信号処理回路１９は、前述したように描画モード及び描画中断・再開モードにおいてはトラッキング制御が停止されるため、例えば統括制御部６２からの制御信号に基づいて、トラッキングエラー信号の生成を停止する。ＲＦ信号処理回路２１は、光電変換信号ａ乃至ｄに基づいてＲＦ信号を生成し、当該ＲＦ信号に対してゲインコントロール、イコライジング処理を施し２値データ化した信号を、デコーダ２２に出力する。２値データ化された信号は、デコーダ２２にてデコード処理が施され、デコード処理の結果得られたＡＴＩＰ情報等がバッファメモリ２３に送信される。尚、Ｓ２０２乃至Ｓ２０６については、前述の第１の実施形態におけるＳ１０２乃至Ｓ１０６と同様の動作であるため説明を省略する。
【００９８】
フォーカス信号処理回路２０は、光電変換信号ａ乃至ｄに基づいて、（ａ＋ｃ）−（ｂ＋ｄ）を演算処理することによりフォーカスエラー信号を生成してＦＥ信号変動検出回路６１に送信する。フォーカスエラー信号は、カップリングコンデンサ６５にて直流成分がカットされる。微分回路６６は、フォーカスエラー信号の交流成分を微分した微分結果を示す電気信号を、比較回路６８に送信する。また、基準電気信号発生回路６７は、基準電気信号を比較回路６８に送信する。比較回路６８は、微分結果を示す電気信号と基準電気信号とのレベルを比較した比較結果を示す論理値を、統括制御部６２に送信する。尚、本実施形態において比較回路６８は、後述において明記する場合を除き、微分結果を示す電気信号が基準電気信号よりローレベルであることを示す他方の論理値‘０’を出力するものとて説明する。また、フォーカスエラー信号は、ＦＥ信号変動検出回路６１を介して、光ピックアップ装置１１に送信される。この結果、光ディスク２の変色層１０２に対する良好なフォーカス制御が行われることとなる。
【００９９】
統括制御部６２は、バッファメモリ２３の容量（１５７２８６４バイト）に基づいて、当該バッファメモリ２３が保持するビットマップデータのデータ量を算出する。  
詳述すると、統括制御部６２は、
｛バッファメモリ２３の容量（１５７２８６４バイト）｝／｛１セクタあたりのデータ量（２４４８バイト）｝
の演算結果である商（６４２）を算出する。そして、統括制御部６２は、バッファメモリ２３が保持するビットマップデータのデータ量を、
２４４８バイト×商（６４２）＝１５７１６１６バイト
を最大値とするべくバッファメモリ２３を制御する（Ｓ２０７）。この結果、バッファメモリ２３は、６４２（商）セクタ分のデータ量を最大値としてビットマップデータを保持することとなる。
【０１００】
バッファメモリ２３は、ホストコンピュータ２５からの転送速度｛１８３６００（バイト／秒）｝で送信されるビットマップデータを保持する。統括制御部６２は、バッファメモリ２３の保持動作により、６４２セクタ分のデータ量（１５７１６１６バイト）のビットマップデータをバッファメモリ２３が保持しているか否かを判別する（Ｓ２０８）。統括制御部６２は、バッファメモリ２３が６４２セクタ分のデータ量のビットマップデータを保持していると判別すると（Ｓ２０８・ＹＥＳ）、光ディスク２の第１回転目における全周を半径方向に分割する変色層１０２上の第１セクタ〜第３０セクタにレーザー光を照射させるべく、スレッド制御回路２８に制御信号を送信する。スレッド制御回路２８は、制御信号に基づいて、第１回転目における全周を半径方向に分割する変色層１０２上の第１セクタ〜第３０セクタと対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。また、統括制御部６２は、光ディスク２の回転数を示す変数ｉを１とする（Ｓ２０９）。また、統括制御部６２は、光ディスク２の第１回転目におけるセクタの番号を示す変数ｊを１とする（Ｓ２１０）。
【０１０１】
そして、統括制御部６２は、比較回路６８からの入力が一方の論理値‘１’であるか否かを判別する（Ｓ２１１）。統括制御部６２は、比較回路６８からの入力が一方の論理値‘１’ではない（他方の論理値‘０’である）と判別すると（Ｓ２１１・ＮＯ）、カウンタ５１のカウント値が変数ｊ（１）に達したか否かを判別する（Ｓ２１２）。つまり、統括制御部６２は、光ディスク２の回転によりレーザー光が第１セクタを照射するタイミングを、カウンタ５１のカウント値が１に達することにより判別する。統括制御部６２は、カウンタ５１のカウント値が変数ｊ（１）に達したと判別すると（Ｓ２１２・ＹＥＳ）、バッファメモリ２３が保持する６４２セクタ分のデータ量（１５７１６１６バイト）のビットマップデータのうち、第１回転目第１セクタに応じたデータ量（２４４８バイト）のビットマップデータを、エンコーダ８に送信する（Ｓ２１３）。このとき、バッファメモリ２３が保持するビットマップデータのデータ量は、６４１セクタ分のデータ量（１５６９１６８バイト）となる。その後、バッファメモリ２３は、ホストコンピュータ２５からの転送速度｛１８３６００（バイト／秒）｝で送信されるビットマップデータを保持する。しかしながら、ホストコンピュータ２５の転送速度は、エンコーダ８のエンコード速度｛２２０３２００（バイト／秒）｝よりも遅いため、バッファメモリ２３が保持するビットマップデータのデータ量は、６４２セクタ分のデータ量から徐々に減少していくこととなる。
【０１０２】
エンコーダ８は、ビットマップデータに対して、ＣＬＫに基づいたエンコード速度｛２２０３２００（バイト／秒）｝でエンコード処理を行って画像データに変換する。画像データ検出回路３１は、エンコード処理結果から画像データを検出すると、第１セクタの各ドットの濃淡を示す濃淡データ群を、描画制御回路３３に送信させる。描画制御回路３３は、第１セクタの各ドットの濃淡を示す濃淡データ群に基づいて、レーザー光の光強度を描画レベルとするための描画パルスを、レーザードライバ１７に送信する。また、描画制御回路３３は、レーザー光の光強度を再生レベルとするためのサーボ信号Ａを、描画モード及び描画中断・再開モードの期間中、レーザードライバ１７に送信する。レーザーパワー制御回路３２は、描画制御回路３３が描画パルスをレーザードライバ１７に送信するとき、第１セクタに実際に照射されるレーザー光の光強度を描画レベルとするための制御信号を、レーザードライバ１７に送信する。また、レーザーパワー制御回路３２は、描画モードの期間中において、描画制御回路３３が描画パルスをレーザードライバ１７に送信しないとき、及び描画中断・再開モードの期間中、第１セクタに実際に照射されるレーザー光の光強度を再生レベルとするための制御信号を、レーザードライバ１７に送信する。レーザードライバ１７は、レーザーパワー制御回路３２からの制御信号と再生用端子に入力されるサーボ信号Ａとに応じた駆動信号を半導体レーザー１２に供給し続けるとともに、記録用端子に描画パルスが入力されたとき、当該制御信号に描画パルス分を重畳した駆動信号を半導体レーザー１２に供給する。半導体レーザー１２は、記録用端子に描画パルスが入力されたとき描画レベルのレーザー光を出射し、記録用端子に描画パルスが入力されないとき再生レベルのレーザー光を出射する。この結果、光ディスク２の第１回転目における第１セクタへの画像形成が行われることとなる（Ｓ２１４）。
【０１０３】
そして、統括制御部６２は、例えばバッファメモリ２３が未だビットマップデータを保持しているか否かを判別することにより、エンコーダ８に送信したビットマップデータ（第１回転目第１セクタに応じたデータ量のビットマップデータ）が、本描画モードにおける最後のビットマップデータであるか否かを判別する（Ｓ２１５）。統括制御部６２は、最後のビットマップデータではないと判別すると（Ｓ２１５・ＮＯ）、変数ｊをインクリメントして２（第２セクタ）とする（Ｓ２１６）。そして、統括制御部６２は、変数ｊ（２）が３１に達したか否かを判別する（Ｓ２１７）。つまり、統括制御部６２は、第１回転目における第１セクタ〜第３０セクタへの画像形成が終了したか否かを判別する。そして、統括制御部６２は、変数ｊ（２）が３１に達していないと判別すると（Ｓ２１７・ＮＯ）、上述のＳ２１１の処理へ移行する。尚、統括制御部６２は、変数ｊが３１に達していると判別すると（Ｓ２１７・ＹＥＳ）、光ディスク２の第２回転目における全周を半径方向に分割する変色層１０２上の第１セクタ〜第３０セクタにレーザー光を照射させるべく、スレッド制御回路２８に制御信号を送信する。そして、統括制御部６２からの制御信号に基づく上述の処理により、ステッピングモータ２９が最小ステップ距離分回転し、光ピックアップ装置１１が外周側へ最小移動距離分移動することとなる（Ｓ２１８）。統括制御部６２は、変数ｉをインクリメントして２（第２回転目）とする（Ｓ２１９）。そして、上述のＳ２１０乃至Ｓ２１７の処理が繰り返されることにより、第２回転目における第１セクタ〜第３０セクタへの画像形成が行われることとなる。このように、比較回路６８における比較結果が他方の論理値‘０’である場合、光ディスク２の変色層１０２への画像形成が良好に行われることとなる。
【０１０４】
以下、描画モード中の光ディスク装置６０に対して、例えば、外部からのフォーカス制御が破綻する可能性があるレベルの衝撃が加わったものとして説明する。このため、変色層１０２に対するレーザー光の焦点のずれ量が大きくなり、フォーカスエラー信号の振幅等が良好にフォーカス制御が行われていたときのフォーカスエラー信号より大きく変化したものとする。尚、この衝撃は、例えば、第１０回転目（変数ｉ＝１０）の第１５セクタ（変数ｊ＝１５）に画像形成を行ったときに発生したものとする。
【０１０５】
統括制御部６２は、光ディスク２の第１０回転目における第１５セクタへの画像形成が行われると（Ｓ２１４）、当該第１０回転目第１５セクタに応じたビットマップデータが本描画モードにおける最後のビットマップデータであるか否かを判別する（Ｓ２１５）。統括制御部６２は、最後のビットマップデータではないと判別すると（Ｓ２１５・ＮＯ）、変数ｊをインクリメントして１６（第１６セクタ）とする（Ｓ２１６）。そして、統括制御部６２は、変数ｊ（１６）が３１に達したか否かを判別する（Ｓ２１７）。統括制御部６２は、変数ｊ（１６）が３１に達していないと判別すると（Ｓ２１７・ＮＯ）、比較回路６８からの入力が一方の論理値‘１’であるか否かを判別する（Ｓ２１１）。このとき、比較回路６８は、光ディスク装置６０に対する上述の衝撃により、微分回路６６からの微分結果を示す電気信号が基準電気信号よりハイレベルであることを示す一方の論理値‘１’を、統括制御部６２に送信している。統括制御部６２は、比較回路６８からの入力が一方の論理値‘１’であると判別すると（Ｓ２１１・ＹＥＳ）、光ディスク装置６０の描画中断・再生モードを開始する（Ｓ２２０）。先ず、統括制御部６２は、スレッド制御を停止するための制御信号を、スレッド制御回路２８に送信する（Ｓ２２１）。また、統括制御部６２は、レーザー光の光強度を再生レベルとするための制御信号を、レーザーパワー制御回路３２に送信する（Ｓ２２２）。この結果、光ディスク２の回転速度を回転速度情報が示す回転速度に保持しつつ、再生レベルのレーザー光が第１０回転目の第１セクタ〜第３０セクタの変色層１０２に照射されることとなる。また、統括制御部６２は、バッファメモリ２３が保持する第１０回転目第１６セクタ以降に応じたビットマップデータのエンコーダ８への送信を停止する（Ｓ２２３）。この結果、第１０回転第１６セクタ以降に応じたビットマップデータを失うことなく、画像形成の中断がなされることとなる。そして、統括制御部６２は、比較回路６８からの入力が一方の論理値‘１’であるか否かを判別する（Ｓ２２４）。
【０１０６】
そして、光ディスク装置６０に対する上述の衝撃が収まることにより、フォーカスエラー信号の振幅等の変化が小さくなる。このため、比較回路６８は、微分回路６６からの微分結果を示す電気信号が基準電気信号よりローレベルであることを示す他方の論理値‘０’を、統括制御部６２に送信する。統括制御部６２は、比較回路６８からの入力が一方の論理値‘１’ではない（他方の論理値‘０’である）と判別すると（Ｓ２２４・ＮＯ）、レーザー光の光強度を描画レベルとするための制御信号を、レーザーパワー制御回路３２に送信する。また、統括制御部６２は、スレッド制御を再開するための制御信号を、スレッド制御回路２８に送信する。そして、統括制御部６２は、カウンタ５１のカウント値が変数ｊ（１６）に達したか否かを判別する（Ｓ２１２）。統括制御部６２は、カウンタ５１のカウント値が変数ｊ（１６）に達したと判別すると（Ｓ２１２・ＹＥＳ）、バッファメモリ２３が保持する第１０回転目第１６セクタに応じたデータ量（２４４８バイト）のビットマップデータを、エンコーダ８に送信する（Ｓ２１３）。そして、上述の処理が行われることにより、第１０回転目における第１６セクタへの画像形成が行われることとなる。この結果、変色層１０２への画像形成において、当該画像形成に影響を及ぼす事由（例えば、光ディスク装置６０に対する衝撃等）が発生した場合、画像形成を中断し、中断した位置（セクタ）から画像形成を再開することが可能となり、変色層１０２への画像形成を良好に行うことが可能となる。
【０１０７】
尚、上述した光ディスク装置６０の構成及び動作においては、バッファアンダーランに対する処理が記載されていないが、第１の実施形態において説明した機能を光ディスク装置６０に付加することにより、バッファアンダーランに対する処理を行うことも当然ながら可能である。更に、上述した光ディスク装置６０においては、第１の実施形態において説明した光ディスク２の１回転を単位とした描画中断・再開モードのみならず、当該光ディスク２の１回転中にバッファアンダーランが発生する可能性がある場合であっても、１回転中におけるセクタを単位として描画中断・再開モードを行うことが可能となる。
【０１０８】
上述した実施形態によれば、光ディスク２の回転速度とエンコード速度とから定まる数（３０）で、光ディスク２の全周を径方向に分割した変色層１０２上の第１セクタ〜第３０セクタに基づいて、光ディスク２の回転方向における変色層１０２上の位置（セクタ）を判別することが可能となる。この結果、光ディスク２の変色層１０２への画像形成を正確に行うことが可能となる。
【０１０９】
更に、カウンタ５１のカウント値に基づいて変色層１０２上の位置（セクタ）を判別するタイミングに同期して、エンコーダ８がＣＬＫに基づいて当該位置（セクタ）における変色層１０２に画像を形成するための画像データを送信することが可能となる。この結果、光ディスク２の変色層１０２への画像形成をより正確に行うことが可能となる。
【０１１０】
更に、統括制御部６２は、カウンタ５１のカウント値に基づいて、変色層１０２上の位置（セクタ）を判別し、バッファメモリ２３が保持するビットマップデータをエンコーダ８に送信することが可能となる。この結果、ビットマップデータのエンコーダ８への送信を統括制御部６２が制御することが可能となり、光ディスク２の変色層１０２への画像形成をより正確に行うことが可能となる。
【０１１１】
更に、統括制御部６２は、バッファメモリ２３が保持するビットマップデータのデータ量が所定のデータ量（例えば、２０セクタ分のデータ量）未満であると判別したとき、エンコーダ８へのビットマップデータの送信を停止することが可能となる。この結果、バッファメモリ２３の保持動作により、ビットマップデータの蓄積を図ることが可能となる。
【０１１２】
更に、統括制御部６２は、バッファメモリ２３が保持するビットマップデータのデータ量が所定のデータ量未満でないと判別し、カウンタ５１のカウント値が画像中断・再開モードを開始した変色層１０２上の位置（セクタ）を示す値であると判別したとき、エンコーダ８へのビットマップデータの送信を再開することが可能となる。この結果、バッファメモリ２３が保持するビットマップデータの減少により描画モードが中断された場合であっても、光ディスク２への画像形成を正確に行うことが可能となる。
【０１１３】
更に、統括制御部６２は、比較回路６８からの入力が一方の論理値‘１’であると判別したとき、エンコーダ８へのビットマップデータの送信を停止することが可能となる。この結果、例えば、光ディスク装置６０が外部から衝撃を受けてフォーカス制御が破綻する可能性がある場合、画像形成を一旦中断することが可能となる。
【０１１４】
更に、統括制御部６２は、比較回路６８からの入力が一方の論理値‘１’でないと判別したとき、エンコーダ８へのビットマップデータの送信を再開することが可能となる。この結果、フォーカス制御が破綻する衝撃等を受けて中断された場合であっても、光ディスク２の変色層１０２への画像形成を正確に行うことが可能となり、当該衝撃等による影響を防止、軽減することが可能となる。
【０１１５】
また、上述の光ディスク装置６０の処理をプログラムデータとしてメモリ６４等に予め記憶させておき、当該プログラムデータを読み出して処理することによりソフトウェア処理することも可能となる。
【０１１６】
＝＝＝第３の実施形態＝＝＝
＜＜光ディスク装置７０の全体構成＞＞
以下、図９、図１０を用いて本発明に係る光ディスク装置７０の全体構成について説明する。図９は、本発明に係る光ディスク装置７０の全体構成の一例を示すブロック図である。図１０は、図９に示すＲＦレベル検出回路７５の構成の一例を示すブロック図である。尚、図９において示す図６と同一の構成については、同一符号を付して説明を省略する。
【０１１７】
光ディスク装置７０は、スピンドルモータ３、回転軸７、スピンドルモータ制御回路４、ＦＧ発生回路５、分周回路９、３９、光ピックアップ装置１１、ＲＦ信号処理回路２１、デコーダ２２、フォーカス信号処理回路２０、ＦＥ信号変動検出回路６１、トラッキング信号処理回路１９、振動付加回路１８、ステッピングモータ２９、スレッド制御回路２８、統括制御部７１（回転部、検出部、分割エリア割当部、判別部、制御部）、カウンタ３４、４１、タイマ３５、バッファメモリ２３、インタフェース２４、エンコーダ８、位置検出回路３７、画像データ検出回路３１、描画制御回路３３、ストラテジ回路３６、レーザーパワー制御回路３２、レーザードライバ１７、発振回路７４、位相比較回路４０、ＲＦレベル検出回路７５を有する。
【０１１８】
発振回路７４は、所定周波数のＣＬＫを発生して、分周回路３９、エンコーダ８、位置検出回路３７、カウンタ４１、統括制御部７１に出力する。
【０１１９】
統括制御部７１は、ＣＰＵ７２、メモリ７３（記憶部）を有している。ＣＰＵ７２は、例えばホストコンピュータ２５からの指示信号に基づいた各モード、及び画像が形成された変色層１０２から画像情報を検出するモード（以下、画像情報検出モードという）に適した処理を光ディスク装置７０が実行するべく、当該光ディスク装置７０を統括制御するものである。メモリ７３は、ＣＰＵ７２が統括制御を行うためのプログラムデータが予め記憶されている。また、メモリ７３は、ＣＰＵ７２が各モードにおいて設定する変数が記憶される。このメモリ７３は、例えば、データを製造工程で焼付け固定するマスクＲＯＭ、データを紫外線消去することによりデータを繰り返し書き込み又は消去可能なＥＰＲＯＭ、データを電気消去することによりデータを繰り返し書き込み又は消去可能なＥＥＰＲＯＭ等の不揮発性記憶素子で構成される。
【０１２０】
統括制御部７１は、各モードにおいて、デコーダ２２からのＡＴＩＰ情報等に基づいて光ディスク２に適用する回転方式を決定し、スピンドルモータ制御回路４に回転速度指示信号を送信する。統括制御部７１は、カウンタ３４のカウント開始に基づいてタイマ３５が計時を開始するための制御信号を送信する。そして、統括制御部７１は、カウンタ３４のカウント値が１８に達したときのタイマ３５の計時に基づいて光ディスク２の回転速度情報を取得するとともに、当該カウンタ３４、タイマ３５をリセットするためのリセット信号を送信する。尚、本実施形態において統括制御部７１は、光ディスク２の回転速度情報を取得するべく、カウンタ３４、タイマ３５を用いているがこれに限るものではなく、前述の第１の実施形態と同様にＡＴＩＰ情報等に含まれる回転速度情報を直接取得するように設けても良い。
【０１２１】
そして、統括制御部７１は、例えば回転速度情報を検出した後のカウンタ４１のカウント開始に基づいてタイマ３５が計時を開始するための制御信号を送信する。そして、統括制御部７１は、タイマ３５の計時が例えば１秒を計時したときのカウンタ４１のカウント値に基づいて、画像情報を示すデジタル信号を得るべくＲＦレベル検出回路７５とともに処理する処理速度情報を取得するとともに、当該カウンタ４１、タイマ３５をリセットするためのリセット信号を送信する。尚、本実施形態における処理速度は、例えば、エンコーダ８のエンコード処理速度と同じ速度｛１８３６００（バイト／秒）｝であるものとして説明する。また、本実施形態において統括制御部７１は、処理速度情報を取得するべく、カウンタ４１、タイマ３５を用いているがこれに限るものではなく、前述の第１の実施形態と同様にメモリ７３に記憶された周波数情報が示すＣＬＫの周波数に基づいて処理速度情報を取得するように設けても良い。
【０１２２】
そして、統括制御部７１は、回転速度情報と処理速度情報とに基づいて、光ディスク２の全周を半径方向に分割する変色層１０２上のセクタの数を算出する。
【０１２３】
また、統括制御部７１は、画像情報検出モードの初期動作として、変色層１０２をレーザー光が照射するときのＲＦ信号のレベルの例えば最小値をＲＦレベル検出回路７５の後述する基準レベルＲefとするための信号（以下、基準レベル信号という）を、ＲＦレベル検出回路７５に送信する。
【０１２４】
また、統括制御部７１は、算出したセクタ数に基づいて、光ディスク２が１回転する期間において分周回路５０が出力するセクタ同期信号のパルス数を、例えば当該セクタ数と同一数とするための分周率信号を分周回路５０に送信する。この結果、セクタ同期信号の１つのパルスの周期と、光ディスク２が１セクタ分所定の回転方向へ回転する期間とは同期したものとなる。このため、統括制御部７１は、カウンタ５１のカウント値に基づいて、対物レンズ１４からのレーザー光が各セクタのうち何れのセクタを照射しているのかを判別することが可能となる。そして、統括制御部７１は、比較回路６８から他方の論理値‘０’が入力された後、カウンタ５１のカウント値が画像情報検出対象となるセクタを示す値に達したと判別すると、ＣＬＫの例えば立上りのタイミングでＲＦレベル検出回路７５がデジタル信号を出力するための信号（以下、タイミング信号という）を、ＲＦレベル検出回路７５に送信する。そして、統括制御部７１は、ＲＦレベル検出回路７５からのデジタル信号を、バッファメモリ２３に送信する。尚、統括制御部７１は、カウンタ５１のカウント値がセクタ数と同一値に達したと判別すると、カウンタ５１をリセットするためのリセット信号を送信する。
【０１２５】
また、統括制御部７１は、比較回路６８からの比較結果である一方の論理値‘１’が入力されると、光ディスク装置７０を変色層１０２からの画像情報の検出を中断・再開するモード（以下、画像情報検出中断・再開モードという）とする。統括制御部７１は、描画中断・再生モードにおいて、スレッド制御を停止するための制御信号を、スレッド制御回路２８に送信する。また、統括制御部７１は、ＲＦレベル検出回路７５のデジタル信号の出力を停止するための信号（以下、停止信号という）を、ＲＦレベル検出回路７５に送信する。そして、統括制御部７１によるこれらの制御により、光ディスク２の回転速度を回転速度情報が指示する回転速度に保持した状態で、比較回路６８からの他方の論理値‘０’の入力を待つこととなる。そして、統括制御部７１は、他方の論理値‘０’が入力されると、スレッド制御を再開するための制御信号を、スレッド制御回路２８に送信する。この結果、画像情報検出モードが再開されることとなる。
【０１２６】
ＲＦレベル検出回路７５は、図１０に示すように、可変増幅回路７７、ピークホールド回路７８、ＡＤコンバータ７９を有している。
【０１２７】
可変増幅回路７７は、例えば、統括制御部７１からの制御信号によりゲインが設定され、ＲＦ信号処理回路２１からのＲＦ信号を当該ゲインで増幅してピークホールド回路７８に送信する。尚、この可変増幅回路７７のゲインは、ＡＤコンバータ７９が変色層１０２に形成される画像の有無を正確に反映させた画像情報であるデジタル信号を出力するべく定まる値となる。
【０１２８】
ピークホールド回路７８は、統括制御部７１からの基準レベル信号に基づいて、基準レベルＲefが設定される。そして、ピークホールド回路７８は、統括制御部７１からのタイミング信号に基づいて、当該統括制御部７１からの次のタイミング信号を受信するまでの期間（ＣＬＫの周期、光ディスク２がドットを回転移動する期間）における、基準レベルＲefｂに対する増幅されたＲＦ信号のピークレベルを保持する。そして、ピークホールド回路７８は、次のタイミング信号に基づいて、増幅されたＲＦ信号のピークレベルを示す信号Ｖpt−Ｒefを、ＡＤコンバータ７９に出力する。尚、ピークホールド回路７８は、当該次のタイミング信号に基づいて、統括制御部７１からの更に次のタイミング信号を受信するまでの期間における、基準レベルＲefに対する増幅されたＲＦ信号のピークレベルを保持する。このようにピークホールド回路７８は、統括制御部７１から順次送信されるタイミング信号に基づいて、基準レベルＲefに対する増幅されたＲＦ信号のピークレベルを保持するとともに、増幅されたＲＦ信号のピークレベルを示す信号Ｖpt−Ｒefの出力を行う。また、ピークホールド回路７８は、統括制御部７１からの停止信号を受信する期間、増幅されたＲＦ信号の保持を停止する。
【０１２９】
尚、本実施形態においては、ピークホールド回路７８のみを設けているが、これに限るものではない。例えば、増幅されたＲＦ信号のボトムレベルを保持するボトムホールド回路を設けても良い。或いは、ピークホールド回路７８とボトムホールド回路の両方を設けても良い。また、ピークホールド回路７８は、ＣＬＫの立上りに応じた統括制御部７１からのタイミング信号に基づいて、信号Ｖpt−Ｒefを出力するように設けているが、これに限るものではない。例えば、ピークホールド回路７８にＣＬＫを直接供給するように設け、当該ＣＬＫの例えば立上りのタイミングで信号Ｖpt−Ｒefを出力するように設けても良い。この場合、統括制御部７１がタイミング信号を生成するための処理にかかる負担を軽減することが可能となる。
【０１３０】
ＡＤコンバータ７９は、ピークホールド回路７８からの信号Ｖpt−Ｒefに応じた、画像情報を示す所定ビット数のデジタル信号を統括制御部７１に出力する。以下、画像情報であるデジタル信号と変色層１０２に形成された画像との関係について詳述すると、変色層１０２は、レーザー光が照射される（つまり、画像が形成される）ことによって、例えば、反射率が大きくなる特性を有しているものとする。この場合、画像が形成された後の変色層１０２をレーザー光が照射したときのＲＦ信号は、画像が形成されていない変色層１０２をレーザー光が照射したときのＲＦ信号よりもレベルが大きくなる。そして、画像が形成された後の変色層１０２をレーザー光が照射したときの信号Ｖpt−Ｒefは、画像が形成されていない変色層１０２をレーザー光が照射したときの信号Ｖpt−Ｒefよりも大きくなる。そこで、ＡＤコンバータ７９が信号Ｖpt−Ｒefを所定ビット数のデジタル信号に変換するためのスライスレベルを、画像が形成された後の変色層１０２をレーザー光が照射したときの信号Ｖpt−Ｒefと、画像が形成されていない変色層１０２をレーザー光が照射したときの信号Ｖpt−Ｒefとの例えば中間レベルに予め設定する。この結果、ＡＤコンバータ７９は、画像が形成された後の変色層１０２をレーザー光が照射したときの信号Ｖpt−Ｒefが入力されたとき、所定ビット数のデジタル信号（以下、デジタル信号Ａという）を出力することが可能となる。また、ＡＤコンバータ７９は、画像が形成されていない変色層１０２をレーザー光が照射したときの信号Ｖpt−Ｒefが入力されたとき、所定ビット数のデジタル信号（以下、デジタル信号Ｂという）を出力することが可能となる。
【０１３１】
＜＜光ディスク装置７０の動作＞＞
以下、図３、図９、図１０を適宜参照しつつ、図１１を用いて本発明に係る光ディスク装置７０の画像情報検出モード及び画像情報検出中断・再開モードにおける動作の一例について説明する。図１１は、本発明に係る光ディスク装置７０の動作の一例を示すフローチャートである。
【０１３２】
統括制御部７１は、ホストコンピュータ２５からの画像が形成された変色層１０２から当該画像を示す画像情報を検出するための指示信号を受信すると（Ｓ３０１・ＹＥＳ）、光ディスク装置７０の画像情報検出モードを開始する。統括制御部７１は、例えば、チャッキング機構に光ディスク２が設置され、当該光ディスク２の引き込みを検出すると、再生レベルのレーザー光を半導体レーザー１２から出射させるべく、描画制御回路３３に指示信号を送信する。描画制御回路３３は、統括制御部７１からの指示信号に基づいて、サーボ信号Ａをレーザードライバ１７に送信する。また、統括制御部７１は、変色層１０２に実際に照射されるレーザー光の光強度を再生レベルとするための制御信号を、レーザーパワー制御回路３２に送信する。レーザーパワー制御回路３２は、統括制御部７１からの制御信号に基づく制御信号を、レーザードライバ１７に送信する。レーザードライバ１７は、レーザーパワー制御回路３２からの制御信号と描画制御回路３３からのサーボ信号Ａとに応じた駆動信号を、半導体レーザー１２に供給する。半導体レーザー１２は、駆動信号により発生する電流に対応した再生レベルのレーザー光を出射する。レーザー光は、各種光学系を透過、反射等した後、対物レンズ１４に入射し収束光に変換されて光ディスク２に対して出射される。また、統括制御部７１は、光ディスク２のリードイン領域にレーザー光を照射させるべく、スレッド制御回路２８に制御信号を送信する。スレッド制御回路２８は、制御信号に基づいて、光ディスク２のリードイン領域と対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。この結果、光ディスク２のリードイン領域にレーザー光が照射されることとなる。光ディスク２のリードイン領域からのレーザー光の反射光は、対物レンズ１４にて平行光に変換されて、各種光学系を透過、反射等した後、アナモフィックレンズにより非点収差が付与されて光検出器１３にて受光される。光検出器１３は、受光領域Ａ乃至Ｄにて受光した反射光のレベルに相当する光電変換信号ａ乃至ｄを、ＲＦ信号処理回路２１、フォーカス信号処理回路２０、トラッキング信号処理回路１９に出力する。尚、本発明の要旨に関係しないため説明は省略するが、トラッキング信号処理回路１９は、前述の描画モード等と同様に画像情報検出モード及び画像情報検出中断・再開モードにおいてはトラッキング制御が停止されるため、例えば統括制御部７１からの制御信号に基づいて、トラッキングエラー信号の生成を停止する。ＲＦ信号処理回路２１は、光電変換信号ａ乃至ｄに基づいてＲＦ信号を生成し、当該ＲＦ信号に対してゲインコントロール、イコライジング処理を施し２値データ化した信号を、デコーダ２２に出力する。２値データ化された信号は、デコーダ２２にてデコード処理が施され、デコード処理の結果得られたＡＴＩＰ情報等がバッファメモリ２３に送信される。尚、Ｓ３０２、Ｓ３０３については、前述の第１の実施形態におけるＳ１０２、Ｓ１０３と同様の動作であるため説明を省略する。
【０１３３】
カウンタ４１は、ＣＬＫの立上りをカウントする。統括制御部７１は、光ディスク２の回転速度情報を取得した後のカウンタ４１のカウント開始に基づいて、計時を開始するための制御信号を、タイマ３５に送信する。タイマ３５は、制御信号に基づいて計時を開始する。そして、統括制御部７１は、タイマ３５の計時が１秒を計時したときのカウンタ４１のカウント値に基づいて、処理速度｛２２０３２００（バイト／秒）｝情報を取得するとともに（Ｓ３０４）、当該カウンタ４１、タイマ３５にリセット信号を送信する。
【０１３４】
統括制御部７１は、回転速度情報と処理速度情報とに基づいて、光ディスク２の全周を半径方向に分割する変色層１０２上のセクタの数を算出する。  
詳述すると、統括制御部７１は、
［処理速度｛２２０３２００（バイト／秒）｝］／［回転速度｛３０（回転／秒）｝］
の演算結果から、光ディスク２が１回転する期間において、ＲＦレベル検出回路７５からのデジタル信号を処理可能なデータ量｛７３４４０（バイト／回転）｝を算出する。そして、統括制御部７１は、
｛７３４４０（バイト／回転）｝／｛２４４８（バイト／セクタ）｝
の演算結果から、光ディスク２の全周を半径方向に分割する変色層１０２上のセクタの数（３０）を算出する（Ｓ３０５）。そして、光ディスク装置７０は、図３に示す、光ディスク２の全周を半径方向に分割する変色層１０２上の第１セクタ〜第３０セクタに対し、各セクタを単位として画像情報検出を行うこととなる。尚、Ｓ３０６は、Ｓ１０６と同様の動作であるため説明を省略する。
【０１３５】
フォーカス信号処理回路２０は、光電変換信号ａ乃至ｄに基づいて、（ａ＋ｃ）−（ｂ＋ｄ）を演算処理することによりフォーカスエラー信号を生成してＦＥ信号変動検出回路６１に送信する。フォーカスエラー信号は、カップリングコンデンサ６５にて直流成分がカットされる。微分回路６６は、フォーカスエラー信号の交流成分を微分した微分結果を示す電気信号を、比較回路６８に送信する。また、基準電気信号発生回路６７は、基準電気信号を比較回路６８に送信する。比較回路６８は、微分結果を示す電気信号と基準電気信号とのレベルを比較した比較結果を示す論理値を、統括制御部７１に送信する。尚、本実施形態において比較回路６８は、後述において明記する場合を除き、微分結果を示す電気信号が基準電気信号よりローレベルであることを示す他方の論理値‘０’を出力するものとて説明する。また、フォーカスエラー信号は、ＦＥ信号変動検出回路６１を介して、光ピックアップ装置１１に送信される。この結果、光ディスク２の変色層１０２に対する良好なフォーカス制御が行われることとなる。
【０１３６】
そして、統括制御部７１は、光ディスク２の第１回転目における全周を半径方向に分割する変色層１０２上の第１セクタ〜第３０セクタにレーザー光を照射させるべく、スレッド制御回路２８に制御信号を送信する。スレッド制御回路２８は、制御信号に基づいて、第１回転目における全周を分割する変色層１０２上の第１セクタ〜第３０セクタと対物レンズ１４とを対向させる光ピックアップ装置１１の移動距離に応じた制御電圧を、ステッピングモータ２９に印加させる。ステッピングモータ２９は、制御電圧のレベルに対応したステップ距離分回転する。また、統括制御部７１は、光ディスク２の回転数を示す変数ｉを１とする（Ｓ３０７）。また、統括制御部７１は、光ディスク２の第１回転目におけるセクタの番号を示す変数ｊを１とする（Ｓ３０８）。また、統括制御部７１は、ＲＦ信号処理回路２１にて生成されるＲＦ信号のレベルの最小値を基準レベルとするべく、基準レベル信号をＲＦレベル検出回路７５に送信する。この結果、ピークホールド回路７８の基準レベルＲefが設定されることとなる。また、統括制御部７１は、可変増幅回路７７のゲインを設定するための制御信号を送信する。この結果、可変増幅回路７７のゲインが設定されることとなる。
【０１３７】
そして、統括制御部７１は、比較回路６８からの入力が一方の論理値‘１’であるか否かを判別する（Ｓ３０９）。統括制御部７１は、比較回路６８からの入力が一方の論理値‘１’ではない（他方の論理値‘０’である）と判別すると（Ｓ３０９・ＮＯ）、カウンタ５１のカウント値が変数ｊ（１）に達したか否かを判別する（Ｓ３１０）。つまり、統括制御部７１は、光ディスク２の回転によりレーザー光が第１セクタを照射するタイミングを、カウンタ５１のカウント値が１に達することにより判別する。統括制御部７１は、カウンタ５１のカウント値が変数ｊ（１）に達したと判別すると（Ｓ３１０・ＹＥＳ）、ＣＬＫの立上りのタイミングで、ＲＦレベル検出回路７５にタイミング信号を送信する。可変増幅回路７７は、第１セクタのドットを照射したレーザー光の反射光に応じて得られるＲＦ信号処理回路２１からのＲＦ信号を、設定されたゲインで増幅してピークホールド回路７８に出力する。ピークホールド回路７８は、タイミング信号に基づいて、統括制御部７１からの次のタイミング信号を受信するまでの期間における、基準レベルＲefに対する増幅されたＲＦ信号のピークレベルを保持する。
【０１３８】
そして、統括制御部７１は、次のＣＬＫの立上りのタイミングで、ＲＦレベル検出回路７５にタイミング信号を送信する。ピークホールド回路７８は、前回のタイミング信号と今回のタイミング信号の期間における基準レベルＲefに対するピークレベルを示す信号Ｖpt−Ｒefを、ＡＤコンバータ７９に出力する。ＡＤコンバータ７９は、信号Ｖpt−Ｒefを所定ビット数のデジタル信号（第１セクタのドットに画像が形成されている場合はデジタル信号Ａ、画像が形成されていない場合はデジタル信号Ｂ）を、統括制御部７１に出力する。統括制御部７１は、デジタル信号をバッファメモリ２３にて送信して保持させる。そして、ＣＬＫの立上りに基づいて上述の処理が行われることにより、第１セクタにおける変色層１０２に形成された画像を示す画像情報が検出されることとなる（Ｓ３１１）。
【０１３９】
そして、統括制御部７１は、例えば第１回転目における第１セクタからの画像情報検出がホストコンピュータ２５からの指示内容を満たすか否かを判別することにより、本画像情報検出モードにおける最後の画像情報検出であるか否かを判別する（Ｓ３１２）。統括制御部７１は、最後の画像情報検出ではないと判別すると（Ｓ３１２・ＮＯ）、変数ｊをインクリメントして２（第２セクタ）とする（Ｓ３１３）。そして、統括制御部７１は、変数ｊ（２）が３１に達したか否かを判別する（Ｓ３１４）。つまり、統括制御部７１は、第１回転目における第１セクタ〜第３０セクタへの画像情報検出が終了したか否かを判別する。そして、統括制御部７１は、変数ｊ（２）が３１に達していないと判別すると（Ｓ３１４・ＮＯ）、上述のＳ２３０９の処理へ移行する。尚、統括制御部７１は、変数ｊが３１に達していると判別すると（Ｓ３１４・ＹＥＳ）、光ディスク２の第２回転目における全周を分割する変色層１０２上の第１セクタ〜第３０セクタにレーザー光を照射させるべく、スレッド制御回路２８に制御信号を送信する。そして、統括制御部７１からの制御信号に基づく上述の処理により、ステッピングモータ２９が最小ステップ距離分回転し、光ピックアップ装置１１が外周側へ最小移動距離分移動することとなる（Ｓ３１５）。統括制御部７１は、変数ｉをインクリメントして２（第２回転目）とする（Ｓ３１６）。そして、上述のＳ３０８乃至Ｓ３１４の処理が繰り返されることにより、第２回転目における第１セクタ〜第３０セクタからの画像情報検出が行われることとなる。このように、比較回路６８における比較結果が他方の論理値‘０’である場合、光ディスク２の変色層１０２からの画像情報検出が良好に行われることとなる。
【０１４０】
以下、描画モード中の光ディスク装置７０に対して、例えば、外部からのフォーカス制御が破綻する可能性があるレベルの衝撃が加わったものとして説明する。このため、変色層１０２に対するレーザー光の焦点のずれ量が大きくなり、フォーカスエラー信号の振幅等が良好にフォーカス制御が行われていたときのフォーカスエラー信号より大きく変化したものとする。尚、この衝撃は、例えば、第５回転目（変数ｉ＝５）の第２０セクタ（変数ｊ＝２０）に画像形成を行ったときに発生したものとする。
【０１４１】
統括制御部７１は、光ディスク２の第５回転目における第２０セクタからの画像情報検出が行われると（Ｓ３１１）、当該第５回転目第２０セクタからの画像情報検出が本画像情報検出モードにおける最後の画像情報検出であるか否かを判別する（Ｓ３１２）。統括制御部７１は、最後の画像情報検出でないと判別すると（Ｓ３１２・ＮＯ）、変数ｊをインクリメントして２１（第２１セクタ）とする（Ｓ３１３）。そして、統括制御部７１は、変数ｊ（２１）が３１に達したか否かを判別する（Ｓ３１４）。統括制御部７１は、変数ｊ（２１）が３１に達していないと判別すると（Ｓ３１４・ＮＯ）、比較回路６８からの入力が一方の論理値‘１’であるか否かを判別する（Ｓ３０９）。このとき、比較回路６８は、光ディスク装置６０に対する上述の衝撃により、微分回路６６からの微分結果を示す電気信号が基準電気信号よりハイレベルであることを示す一方の論理値‘１’を、統括制御部７１に送信している。統括制御部７１は、比較回路６８からの入力が一方の論理値‘１’であると判別すると（Ｓ３０９・ＹＥＳ）、光ディスク装置７０の画像情報検出中断・再生モードを開始する（Ｓ３１７）。先ず、統括制御部７１は、スレッド制御を停止するための制御信号を、スレッド制御回路２８に送信する（Ｓ３１８）。また、統括制御部７１は、ＲＦレベル検出回路７５に停止信号を送信する（Ｓ３１９）。ＲＦレベル検出回路７５は、停止信号に基づいて、デジタル信号の出力を停止する。この結果、光ディスク２の回転速度を回転速度情報が示す回転速度に保持しつつ、再生レベルのレーザー光が第５回転目の第１セクタ〜第３０セクタの変色層１０２に照射されることとなる。そして、統括制御部７１は、比較回路６８からの入力が一方の論理値‘１’であるか否かを判別する（Ｓ３２０）。
【０１４２】
そして、光ディスク装置７０に対する上述の衝撃が収まることにより、フォーカスエラー信号の振幅等の変化が小さくなる。このため、比較回路６８は、微分回路６６からの微分結果を示す電気信号が基準電気信号よりローレベルであることを示す他方の論理値‘０’を、統括制御部７１に送信する。統括制御部７１は、比較回路６８からの入力が一方の論理値‘１’ではない（他方の論理値‘０’である）と判別すると（Ｓ３２０・ＮＯ）、スレッド制御を再開するための制御信号を、スレッド制御回路２８に送信する。そして、統括制御部７１は、カウンタ５１のカウント値が変数ｊ（２１）に達したか否かを判別する（Ｓ３１０）。統括制御部７１は、カウンタ５１のカウント値が変数ｊ（２１）に達したと判別すると（Ｓ３１０・ＹＥＳ）、第５回転目第２１セクタからの画像情報検出を開始する。そして、上述の処理が行われることにより、第５回転目第２１セクタからの画像情報検出が行われることとなる（Ｓ３１１）。この結果、変色層１０２からの画像情報検出において、当該画像情報検出に影響を及ぼす事由（例えば、光ディスク装置７０に対する衝撃等）が発生した場合、画像情報検出を中断し、中断した位置（セクタ）から画像形成を再開することが可能となり、変色層１０２からの画像情報検出を良好に行うことが可能となる。
【０１４３】
尚、上述した第２、第３の実施形態によれば、フォーカスエラー信号の変化を判別することにより、光ディスク装置６０（７０）が受けた衝撃等が画像形成に影響を及ぼすものであるか否かを判別しているが、フォーカスエラー信号に限るものではない。例えば、ＦＥ信号変動検出回路６１と同様の構成であってＲＦ信号の変動を検出する回路を設け、当該回路の検出結果に基づいて、画像中断・再開モードをするか否かを判別しても良い。
【０１４４】
また、上述した第１乃至第３の実施形態によれば、統括制御部６（６２、７１）は、分周回路５０が出力するセクタ同期信号のパルス数を、セクタ数と同一数とするための分周率信号を送信しているが、これに限るものではない。例えば、統括制御部６（６２、７１）は、セクタ同期信号のパルス数を、セクタ数の２倍とするための分周率信号を送信するように設けても良い。この結果、光ディスク２の半径方向に変色層１０２を分割する変色層１０２上のセクタ数を２倍（第１セクタ〜第６０セクタ）にしたことと同様となり、バッファアンダーランや外部からの衝撃等に基づく描画中断・再開モード（画像情報検出中断・再開モード）を迅速に行うことが可能となる。そのため、変色層１０２への画像形成（又は変色層１０２からの画像情報検出）をより良好且つ正確に行うことが可能となる。
【０１４５】
上述した実施形態によれば、光ディスク２の回転速度と処理速度とから定まる数（３０）で、光ディスク２の全周を径方向に分割した変色層１０２上の第１セクタ〜第３０セクタに基づいて、光ディスク２の回転方向における変色層１０２上の位置（セクタ）を判別することが可能となる。この結果、光ディスク２の変色層１０２からの画像情報の検出を正確に行うことが可能となる。
【０１４６】
更に、カウンタ５１のカウント値に基づいて変色層１０２上の位置（セクタ）を判別するタイミングに同期して、統括制御部７１及びＲＦレベル検出回路７５がＣＬＫに基づいて当該位置（セクタ）における変色層１０２から画像情報を検出するための処理を行うことが可能となる。この結果、光ディスク２の変色層１０２からの画像情報の検出をより正確に行うことが可能となる。
【０１４７】
更に、統括制御部７１は、比較回路６８からの入力が一方の論理値‘１’であると判別したとき、停止信号をＲＦレベル検出回路７５に送信することにより画像情報の検出を停止することが可能となる。この結果、例えば、光ディスク装置７０が外部から衝撃を受けてフォーカス制御が破綻する可能性がある場合、画像情報の検出を一旦中断することが可能となる。
【０１４８】
更に、統括制御部７１は、比較回路６８からの入力が一方の論理値‘１’でないと判別したとき、停止信号の送信を止めＲＦレベル検出回路７５のデジタル信号の出力を再開することが可能となる。この結果、フォーカス制御が破綻する衝撃等を受けて中断された場合であっても、光ディスク２の変色層１０２からの画像情報の検出を正確に行うことが可能となり、当該衝撃等による影響を防止、軽減することが可能となる。
【０１４９】
また、上述の光ディスク装置７０の処理をプログラムデータとしてメモリ６４等に予め記憶させておき、当該プログラムデータを読み出して処理することによりソフトウェア処理することも可能となる。
【０１５０】
＝＝＝その他の実施形態＝＝＝
以上、本発明に係る光ディスク装置、光ディスク装置を制御するためのプログラムについて説明したが、上記の説明は、本発明の理解を容易とするためのものであり、本発明を限定するものではない。本発明は、その趣旨を逸脱することなく、変更、改良され得る。
【図面の簡単な説明】
【０１５１】
【図１】本発明に係る光ディスク装置の全体構成を示すブロック図である。
【図２】位置検出回路の構成を示すブロック図である。
【図３】光ディスクの半径方向に変色層を分割するセクタを示す図である。
【図４】光検出器の受光領域Ａ乃至Ｄを示す図である。
【図５】本発明に係る光ディスクの動作を示すフローチャートである。
【図６】本発明に係る光ディスク装置の全体構成を示すブロック図である。
【図７】ＦＥ信号変動検出回路の構成を示すブロック図である。
【図８】本発明に係る光ディスクの動作を示すフローチャートである。
【図９】本発明に係る光ディスク装置の全体構成を示すブロック図である。
【図１０】ＲＦレベル検出回路の構成を示すブロック図である。
【図１１】本発明に係る光ディスク装置の動作を示すフローチャートである。
【図１２】変色層を有する光ディスクの構造を示す図である。
【符号の説明】
【０１５２】
１    光ディスク装置                ２    光ディスク
３    スピンドルモータ              ４    スピンドルモータ制御回路
５    ＦＧ発生回路                  ６    統括制御部
７    回転軸                        ８    エンコーダ
９    分周回路                      １１  光ピックアップ装置
１２  半導体レーザー                １３  光検出器
１４  対物レンズ                    １５  アクチュエータ
１７  レーザードライバ              １８  振動付加回路
１９  トラッキング信号処理回路      ２０  フォーカス信号処理回路
２１  ＲＦ信号処理回路              ２２  デコーダ
２３  バッファメモリ                ２４  インタフェース
２５  ホストコンピュータ            ２６  ＣＰＵ
２７  メモリ                        ２８  スレッド制御回路
２９  ステッピングモータ            ３１  画像データ検出回路
３２  レーザーパワー制御回路        ３３  描画制御回路
３４、４１、５１  カウンタ          ３５  タイマ
３６  ストラテジ回路                ３７  位置検出回路
３８、７４  発振回路                ３９、５０  分周回路
４０  位相比較回路                  ６０、７０  光ディスク装置
６１  ＦＥ信号変動検出回路          ６２、７１  統括制御部
６３、７２  ＣＰＵ                  ６４、７３  メモリ
６５  カップリングコンデンサ        ６６  微分回路
６７  基準電気信号発生回路          ６８  比較回路
７５  ＲＦレベル検出回路            ７７  可変増幅回路
７８  ピークホールド回路            ７９  ＡＤコンバータ
１００  光ディスク                  １０１  保護層
１０２  変色層                      １０３  反射層
１０４  対物レンズ
【図１】
2007226860.tif 000003
【図２】
2007226860.tif 000004
【図３】
2007226860.tif 000005
【図４】
2007226860.tif 000006
【図５】
2007226860.tif 000007
【図６】
2007226860.tif 000008
【図７】
2007226860.tif 000009
【図８】
2007226860.tif 000010
【図９】
2007226860.tif 000011
【図１０】
2007226860.tif 000012
【図１１】
2007226860.tif 000013
【図１２】
2007226860.tif 000014